(57)【特許請求の範囲】
【請求項１】
チャネル品質インジケータ専用フィードバックペイロードを送信するための方法であって、
ダウンリンク制御情報フォーマット０またはダウンリンク制御情報フォーマット４を用いて基地局から送信されるチャネル品質インジケータスケジューリングメッセージを受信すること、ここで、前記ダウンリンク制御情報フォーマット０は、物理アップリンク共有チャネルについてのリソースグラントの送信のために使用され、前記ダウンリンク制御情報フォーマット４は、アップリンク複数入力複数出力動作をサポートするために、前記物理アップリンク共有チャネルについての前記リソースグラントの送信のために使用され、前記チャネル品質インジケータスケジューリングメッセージは、前記チャネル品質インジケータ専用フィードバックペイロードの変調スキーム及び符号化レートを規定する、２９または３１に設定される変調及び符号化スキームインデクスを含む、と、
前記チャネル品質インジケータ専用フィードバックペイロードを生成することと、
前記物理アップリンク共有チャネル上で前記チャネル品質インジケータ専用フィードバックペイロードを送信すること、前記チャネル品質インジケータ専用フィードバックペイロードを送信するために使用される前記変調スキームは、前記変調及び符号化スキームインデクスと、前記チャネル品質インジケータスケジューリングメッセージが前記ダウンリンク制御情報フォーマット０または前記ダウンリンク制御情報フォーマット４を用いて送信されるかどうかとに依存する、と、を備える方法。
【請求項２】
前記方法は無線通信デバイスによって実行される、請求項１に記載の方法。
【請求項３】
前記チャネル品質インジケータスケジューリングメッセージ内の前記変調及び符号化スキームインデクスが２９に設定され、前記チャネル品質インジケータスケジューリングメッセージが前記ダウンリンク制御情報フォーマット０を用いて送信された場合、前記チャネル品質インジケータ専用フィードバックペイロードは四位相偏移変調を用いて送信される、請求項１に記載の方法。
【請求項４】
前記チャネル品質インジケータスケジューリングメッセージ内の前記変調及び符号化スキームインデクスが３１に設定され、前記チャネル品質インジケータスケジューリングメッセージが前記ダウンリンク制御情報フォーマット０を用いて送信された場合、前記チャネル品質インジケータ専用フィードバックペイロードは１６直角位相振幅変調を用いて送信される、請求項１に記載の方法。
【請求項５】
前記チャネル品質インジケータスケジューリングメッセージは、第１と第２の変調及び符号化スキームインデクスを含み、
アップリンク送信のランクが１に等しく、前記チャネル品質インジケータスケジューリングメッセージ内の前記第１の変調及び符号化スキームインデクスが２９に設定され、前記チャネル品質インジケータスケジューリングメッセージが前記ダウンリンク制御情報フォーマット４を用いて送信された場合、前記チャネル品質インジケータ専用フィードバックペイロードは四位相偏移変調を用いて送信される、請求項１に記載の方法。
【請求項６】
前記チャネル品質インジケータスケジューリングメッセージは、第１と第２の変調及び符号化スキームインデクスを含み、
アップリンク送信のランクが１に等しく、前記チャネル品質インジケータスケジューリングメッセージ内の前記第１の変調及び符号化スキームインデクスが３１に設定され、前記チャネル品質インジケータスケジューリングメッセージが前記ダウンリンク制御情報フォーマット４を用いて送信された場合、前記チャネル品質インジケータ専用フィードバックペイロードは１６直角位相振幅変調を用いて送信される、請求項１に記載の方法。
【請求項７】
前記チャネル品質インジケータスケジューリングメッセージは、第１と第２の変調及び符号化スキームインデクスを含み、
アップリンク送信のランクが１よりも大きく、前記チャネル品質インジケータスケジューリングメッセージ内の前記第１の変調及び符号化スキームインデクスが２９に設定され、前記チャネル品質インジケータスケジューリングメッセージ内の前記第２の変調及び符号化スキームインデクスが２９に設定され、前記チャネル品質インジケータスケジューリングメッセージが前記ダウンリンク制御情報フォーマット４を用いて送信された場合、前記チャネル品質インジケータ専用フィードバックペイロードは四位相偏移変調を用いて送信される、請求項１に記載の方法。
【請求項８】
前記チャネル品質インジケータ専用フィードバックペイロードは、前記チャネル品質インジケータスケジューリングメッセージにおいて、要求された数の物理リソースブロックを用いて送信される、請求項１に記載の方法。
【請求項９】
チャネル品質インジケータ専用フィードバックペイロードをスケジューリングするための方法であって、
チャネル品質インジケータスケジューリングメッセージの生成を開始すること、ここで、前記チャネル品質インジケータスケジューリングメッセージは、前記チャネル品質インジケータ専用フィードバックペイロードの変調スキーム及び符号化レートを規定する、２９または３１に設定される変調及び符号化スキームインデクスを含む、と、
前記チャネル品質インジケータ専用フィードバックペイロードのために、四位相偏移変調か１６直角位相振幅変調かが必要であるかを決定することと、
前記チャネル品質インジケータ専用フィードバックペイロードのために、四位相偏移変調が必要であるか１６直角位相振幅変調が必要であるかに、及び、前記チャネル品質インジケータスケジューリングメッセージがダウンリンク制御情報フォーマット０またはダウンリンク制御情報フォーマット４を用いて送信されるかどうかに従って、変調及び符号化スキームインデクスを２９または３１に設定すること、前記ダウンリンク制御情報フォーマット０は物理アプリンク共有チャネルについてのリソースグラントの送信のために使用され、前記ダウンリンク制御情報フォーマット４は、アップリンク複数入力複数出力動作をサポートするために、前記物理アプリンク共有チャネルについての前記リソースグラントの送信のために使用される、と、
前記ダウンリンク制御情報フォーマット０または前記ダウンリンク制御フォーマット４を使用して、物理ダウンリンク制御チャネル上で、前記チャネル品質インジケータスケジューリングメッセージを無線通信デバイスへ送信することと、
を備える方法。
【請求項１０】
前記方法は基地局によって実行される、請求項９に記載の方法。
【請求項１１】
前記チャネル品質インジケータスケジューリングメッセージが前記ダウンリンク制御情報フォーマット０を用いて送信され、前記チャネル品質インジケータ専用フィードバックペイロードのために四位相偏移変調が必要とされ、前記変調及び符号化スキームインデクスが２９に設定される、請求項９に記載の方法。
【請求項１２】
前記チャネル品質インジケータスケジューリングメッセージが前記ダウンリンク制御情報フォーマット０を用いて送信され、前記チャネル品質インジケータ専用フィードバックペイロードのために１６直角位相振幅変調が必要とされ、前記変調及び符号化スキームインデクスが３１に設定される、請求項９に記載の方法。
【請求項１３】
前記チャネル品質インジケータスケジューリングメッセージが前記ダウンリンク制御情報フォーマット４を用いて送信され、前記チャネル品質インジケータ専用フィードバックペイロードのランクが１よりも大きいかを決定することを更に備える、請求項９に記載の方法。
【請求項１４】
前記チャネル品質インジケータスケジューリングメッセージは、第１と第２の変調及び符号化スキームインデクスを含み、
前記チャネル品質インジケータ専用フィードバックペイロードのランクが１であり、前記チャネル品質インジケータ専用フィードバックペイロードのために四位相偏移変調が必要とされ、前記第１の変調及び符号化スキームインデクスが２９に設定される、請求項１３に記載の方法。
【請求項１５】
前記チャネル品質インジケータスケジューリングメッセージは、第１と第２の変調及び符号化スキームインデクスを含み、
前記チャネル品質インジケータ専用フィードバックペイロードのランクが１であり、前記チャネル品質インジケータ専用フィードバックペイロードのために１６直角位相振幅変調が必要とされ、前記第１の変調及び符号化スキームインデクスが３１に設定される、請求項１３に記載の方法。
【請求項１６】
前記チャネル品質インジケータスケジューリングメッセージは、第１と第２の変調及び符号化スキームインデクスを含み、
前記チャネル品質インジケータ専用フィードバックペイロードが１よりも大きく、前記チャネル品質インジケータ専用フィードバックペイロードのために四位相偏移変調が必要とされ、前記第１の変調及び符号化スキームインデクスが２９に設定され、前記第２の変調及び符号化スキームインデクスが２９に設定される、請求項１３に記載の方法。
【請求項１７】
前記チャネル品質インジケータ専用フィードバックペイロードの物理リソースブロックの要求された数を、４より小さい、または等しい値に設定することを更に備える、請求項１６に記載の方法。
【請求項１８】
前記チャネル品質インジケータ専用フィードバックペイロードの物理リソースブロックの要求された数を、物理リソースブロックの最大数に設定することを更に備える、請求項９に記載の方法。
【請求項１９】
非周期的チャネル品質インジケータ報告モードが設定される場合、前記物理リソースブロックの最大数を４よりも大きい値に設定することを更に備える、請求項１８に記載の方法。
【請求項２０】
マルチキャリア非周期的チャネル品質インジケータ報告がサポートされる場合、前記物理リソースブロックの最大数を４よりも大きい数に設定することを更に備える、請求項１８に記載の方法。
【請求項２１】
システム帯域幅設定が５メガヘルツよりも大きい場合、前記物理リソースブロックの最大数を４よりも大きい数に設定することを更に備える、請求項１８に記載の方法。
【請求項２２】
非周期的チャネル品質インジケータ報告モードが設定されておらず、マルチキャリア非周期的チャネル品質インジケータ報告がサポートされておらず、システム帯域幅設定が５メガヘルツよりも大きい場合、前記物理リソースブロックの最大数を４より小さい、または等しい値に設定することを更に備える、請求項１８に記載の方法。
【請求項２３】
チャネル品質インジケータ専用フィードバックペイロードを送信するために構成された無線デバイスであって、
プロセッサと、
前記プロセッサと電子的に通信を行なうメモリと、
前記メモリ内に格納された命令とを備え、
前記命令は、前記プロセッサによって、
ダウンリンク制御情報フォーマット０またはダウンリンク制御情報フォーマット４を用いて基地局から送信されるチャネル品質インジケータスケジューリングメッセージを受信すること、ここで、前記ダウンリンク制御情報フォーマット０は、物理アップリンク共有チャネルについてのリソースグラントの送信のために使用され、前記ダウンリンク制御情報フォーマット４は、アップリンク複数入力複数出力動作をサポートするために、前記物理アップリンク共有チャネルについての前記リソースグラントの送信のために使用され、前記チャネル品質インジケータスケジューリングメッセージは、前記チャネル品質インジケータ専用フィードバックペイロードの変調スキーム及び符号化レートを規定する、２９または３１に設定される変調及び符号化スキームインデクスを含む、と、
前記チャネル品質インジケータ専用フィードバックペイロードを生成することと、
物理アップリンク共有チャネル上で前記チャネル品質インジケータ専用フィードバックペイロードを送信すること、前記チャネル品質インジケータ専用フィードバックペイロードを送信するために使用される前記変調スキームは、前記変調及び符号化スキームインデクスと、前記チャネル品質インジケータスケジューリングメッセージが前記ダウンリンク制御情報フォーマット０または前記ダウンリンク制御情報フォーマット４を用いて送信されるかどうかとに依存する、と、
のために実行可能である、無線デバイス。
【請求項２４】
前記無線デバイスは無線通信デバイスである、請求項２３に記載の無線デバイス。
【請求項２５】
前記チャネル品質インジケータスケジューリングメッセージ内の前記変調及び符号化スキームインデクスが２９に設定され、前記チャネル品質インジケータスケジューリングメッセージが前記ダウンリンク制御情報フォーマット０を用いて送信された場合、前記チャネル品質インジケータ専用フィードバックペイロードは四位相偏移変調を用いて送信される、請求項２３に記載の無線デバイス。
【請求項２６】
前記チャネル品質インジケータスケジューリングメッセージ内の前記変調及び符号化スキームインデクスが３１に設定され、前記チャネル品質インジケータスケジューリングメッセージが前記ダウンリンク制御フォーマット０を用いて送信された場合、前記チャネル品質インジケータ専用フィードバックペイロードは１６直角位相振幅変調を用いて送信される、請求項２３に記載の無線デバイス。
【請求項２７】
前記チャネル品質インジケータスケジューリングメッセージは、第１と第２の変調及び符号化スキームインデクスを含み、
アップリンク送信のランクが１に等しく、前記チャネル品質インジケータスケジューリングメッセージ内の前記第１の変調及び符号化スキームインデクスが２９に設定され、前記チャネル品質インジケータスケジューリングメッセージが前記ダウンリンク制御情報フォーマット４を用いて送信された場合、前記チャネル品質インジケータ専用フィードバックペイロードは四位相偏移変調を用いて送信される、請求項２３に記載の無線デバイス。
【請求項２８】
前記チャネル品質インジケータスケジューリングメッセージは、第１と第２の変調及び符号化スキームインデクスを含み、
アップリンク送信のランクが１に等しく、前記チャネル品質インジケータスケジューリングメッセージ内の前記第１の変調及び符号化スキームインデクスが３１に設定され、前記チャネル品質インジケータスケジューリングメッセージが前記ダウンリンク制御情報フォーマット４を用いて送信された場合、前記チャネル品質インジケータ専用フィードバックペイロードは１６直角位相振幅変調を用いて送信される、請求項２３に記載の無線デバイス。
【請求項２９】
前記チャネル品質インジケータスケジューリングメッセージは、第１と第２の変調及び符号化スキームインデクスを含み、
アップリンク送信のランクが１よりも大きく、前記チャネル品質インジケータスケジューリングメッセージ内の前記第１の変調及び符号化スキームインデクスが２９に設定され、前記チャネル品質インジケータスケジューリングメッセージ内の第２の変調及び符号化スキームインデクスが２９に設定され、前記チャネル品質インジケータスケジューリングメッセージが前記ダウンリンク制御情報フォーマット４を用いて送信された場合、前記チャネル品質インジケータ専用フィードバックペイロードは四位相偏移変調を用いて送信される、請求項２３に記載の無線デバイス。
【請求項３０】
前記チャネル品質インジケータ専用フィードバックペイロードは、前記チャネル品質インジケータスケジューリングメッセージにおいて、要求された数の物理リソースブロックを用いて送信される、請求項２３に記載の無線デバイス。
【請求項３１】
チャネル品質インジケータ専用フィードバックペイロードをスケジューリングするために構成された無線デバイスであって、
プロセッサと、
前記プロセッサと電子的に通信を行なうメモリと、
前記メモリ内に格納された命令と、を備え、
前記命令は、前記プロセッサによって、
チャネル品質インジケータスケジューリングメッセージの生成を開始すること、ここで、前記チャネル品質インジケータスケジューリングメッセージは、前記チャネル品質インジケータ専用フィードバックペイロードの変調スキーム及び符号化レートを規定する、２９または３１に設定される変調及び符号化スキームインデクスを含む、と、
前記チャネル品質インジケータ専用フィードバックペイロードのために、四位相偏移変調か１６直角位相振幅変調かが必要とされるかを決定することと、
前記チャネル品質インジケータ専用フィードバックペイロードのために、四位相偏移変調か１６直角位相振幅変調かが必要であるかに、及び、前記チャネル品質インジケータスケジューリングメッセージがダウンリンク制御情報フォーマット０またはダウンリンク制御情報フォーマット４を用いて送信されるかどうかに従って、変調及び符号化スキームインデクスを２９または３１に設定すること、前記ダウンリンク制御情報フォーマット０は物理アプリンク共有チャネルについてのリソースグラントの送信のために使用され、前記ダウンリンク制御情報フォーマット４は、アップリンク複数入力複数出力動作をサポートするために、前記物理アプリンク共有チャネルについての前記リソースグラントの送信のために使用される、と、
前記ダウンリンク制御情報フォーマット０または前記ダウンリンク制御フォーマット４を使用して、物理ダウンリンク制御チャネル上で、前記チャネル品質インジケータスケジューリングメッセージを無線通信デバイスへ送信することと、のために実行可能である、無線デバイス。
【請求項３２】
前記無線デバイスは基地局である、請求項３１に記載の無線デバイス。
【請求項３３】
前記チャネル品質インジケータスケジューリングメッセージが前記ダウンリンク制御情報フォーマット０を用いて送信され、前記チャネル品質インジケータ専用フィードバックペイロードのために四位相偏移変調が必要とされ、前記変調及び符号化スキームインデクスが２９に設定される、請求項３１に記載の無線デバイス。
【請求項３４】
前記チャネル品質インジケータスケジューリングメッセージが前記ダウンリンク制御情報フォーマット０を用いて送信され、前記チャネル品質インジケータ専用フィードバックペイロードのために１６直角位相振幅変調が必要とされ、前記変調及び符号化スキームインデクスが３１に設定される、請求項３１に記載の無線デバイス。
【請求項３５】
前記チャネル品質インジケータスケジューリングメッセージが前記ダウンリンク制御情報フォーマット４を用いて送信され、
前記命令は更に、前記チャネル品質インジケータ専用フィードバックペイロードのランクが１よりも大きいかを決定するために実行可能である、請求項３１に記載の無線デバイス。
【請求項３６】
前記チャネル品質インジケータスケジューリングメッセージは、第１と第２の変調及び符号化スキームインデクスを含み、
前記チャネル品質インジケータ専用フィードバックペイロードのランクが１であり、前記チャネル品質インジケータ専用フィードバックペイロードのために四位相偏移変調が必要とされ、前記第１の変調及び符号化スキームインデクスが２９に設定される、請求項３５に記載の無線デバイス。
【請求項３７】
前記チャネル品質インジケータスケジューリングメッセージは、第１と第２の変調及び符号化スキームインデクスを含み、
前記チャネル品質インジケータ専用フィードバックペイロードのランクが１であり、前記チャネル品質インジケータ専用フィードバックペイロードのために１６直角位相振幅変調が必要とされ、前記第１の変調及び符号化スキームインデクスが３１に設定される、請求項３５に記載の無線デバイス。
【請求項３８】
前記チャネル品質インジケータスケジューリングメッセージは、第１と第２の変調及び符号化スキームインデクスを含み、
前記チャネル品質インジケータ専用フィードバックペイロードのランクが１よりも大きく、前記チャネル品質インジケータ専用フィードバックペイロードのために四位相偏移変調が必要とされ、前記第１の変調及び符号化スキームインデクスが２９に設定され、前記第２の変調及び符号化スキームインデクスが２９に設定される、請求項３５に記載の無線デバイス。
【請求項３９】
前記命令は更に、前記チャネル品質インジケータ専用フィードバックペイロードの物理リソースブロックの要求された数を４より小さい、または等しい値に設定することのために実行可能である、請求項３８に記載の無線デバイス。
【請求項４０】
前記命令は更に、前記チャネル品質インジケータ専用フィードバックペイロードの物理リソースブロックの要求された数を、物理リソースブロックの最大数に設定することのために実行可能である、請求項３１に記載の無線デバイス。
【請求項４１】
前記命令は更に、非周期的チャネル品質インジケータ報告モードが設定される場合、前記物理リソースブロック最大数を４よりも大きい値に設定することのために実行可能である、請求項４０に記載の無線デバイス。
【請求項４２】
前記命令は更に、マルチキャリア非周期的チャネル品質インジケータ報告がサポートされる場合、前記物理リソースブロックの最大数を４よりも大きい値に設定することにために実行可能である、請求項４０に記載の無線デバイス。
【請求項４３】
前記命令は更に、システム帯域幅設定が５メガヘルツよりも大きい場合、前記物理リソースブロックの最大数を４よりも大きい値に設定することのために実行可能である、請求項４０に記載の無線デバイス。
【請求項４４】
前記命令は更に、非周期的チャネル品質インジケータ報告モードが設定されず、マルチキャリア非周期的チャネル品質インジケータ報告がサポートされず、システム帯域幅設定が５メガヘルツよりも大きい場合、前記物理リソースブロックの最大数を４より小さい、または等しい値に設定することのために実行可能である、請求項４０に記載の無線デバイス。
【請求項４５】
チャネル品質インジケータ専用フィードバックペイロードを送信するために構成された無線デバイスであって、
ダウンリンク制御情報フォーマット０またはダウンリンク制御情報フォーマット４を用いて基地局から送信されるチャネル品質インジケータスケジューリングメッセージを受信するための手段、ここで、前記ダウンリンク制御情報フォーマット０は、物理アップリンク共有チャネルについてのリソースグラントの送信のために使用され、前記ダウンリンク制御情報フォーマット４は、アップリンク複数入力複数出力動作をサポートするために、前記物理アップリンク共有チャネルについての前記リソースグラントの送信のために使用され、前記チャネル品質インジケータスケジューリングメッセージは、前記チャネル品質インジケータ専用フィードバックペイロードの変調スキーム及び符号化レートを規定する、２９または３１に設定される変調及び符号化スキームインデクスを含む、と、
前記チャネル品質インジケータ専用フィードバックペイロードを生成するための手段と、
前記チャネル品質インジケータ専用フィードバックペイロードを物理アップリンク共有チャネル上で送信するための手段、前記チャネル品質インジケータ専用フィードバックペイロードを送信するために使用される前記変調スキームは、前記変調及び符号化スキームインデクスと、前記チャネル品質インジケータスケジューリングメッセージが前記ダウンリンク制御情報フォーマット０または前記ダウンリンク制御情報フォーマット４を用いて送信されるかどうかとに依存する、と、
を備える無線デバイス。
【請求項４６】
チャネル品質インジケータ専用フィードバックペイロードをスケジューリングするために構成された無線デバイスであって、
チャネル品質インジケータスケジューリングメッセージの生成するための手段、ここで、前記チャネル品質インジケータスケジューリングメッセージは、前記チャネル品質インジケータ専用フィードバックペイロードの変調スキーム及び符号化レートを規定する、２９または３１に設定される変調及び符号化スキームインデクスを含む、と、
前記チャネル品質インジケータ専用フィードバックペイロードのために、四位相偏移変調か１６直角位相振幅変調かが必要とされるかを決定するための手段と、
前記チャネル品質インジケータ専用フィードバックペイロードのために、四位相偏移変調か１６直角位相振幅変調かが必要とされるかに、及び、前記チャネル品質インジケータスケジューリングメッセージがダウンリンク制御情報フォーマット０またはダウンリンク制御情報フォーマット４を用いて送信されるかどうかに従って、変調及び符号化スキームインデクスを２９または３１に設定するための手段、前記ダウンリンク制御情報フォーマット０は物理アプリンク共有チャネルについてのリソースグラントの送信のために使用され、前記ダウンリンク制御情報フォーマット４は、アップリンク複数入力複数出力動作をサポートするために、前記物理アプリンク共有チャネルについての前記リソースグラントの送信のために使用される、と、
前記ダウンリンク制御情報フォーマット０または前記ダウンリンク制御フォーマット４を使用して、物理ダウンリンク制御チャネル上で、前記チャネル品質インジケータスケジューリングメッセージを無線通信デバイスへ送信するための手段と、を備える無線デバイス。
【請求項４７】
チャネル品質インジケータ専用フィードバックペイロードを送信するための命令を有するコンピュータ読取可能な持続性の記憶媒体であって、
前記命令は、
無線デバイスに、ダウンリンク制御情報フォーマット０またはダウンリンク制御情報フォーマット４を用いて基地局から送信されるチャネル品質インジケータスケジューリングメッセージを受信させるためのコード、ここで、前記ダウンリンク制御情報フォーマット０は、物理アップリンク共有チャネルについてのリソースグラントの送信のために使用され、前記ダウンリンク制御情報フォーマット４は、アップリンク複数入力複数出力動作をサポートするために、前記物理アップリンク共有チャネルについての前記リソースグラントの送信のために使用され、前記チャネル品質インジケータスケジューリングメッセージは、前記チャネル品質インジケータ専用フィードバックペイロードの変調スキーム及び符号化レートを規定する、２９または３１に設定される変調及び符号化スキームインデクスを含む、と、
前記無線デバイスに、前記チャネル品質インジケータ専用フィードバックペイロードを生成させるためのコードと、
前記無線デバイスに、前記チャネル品質インジケータ専用フィードバックペイロードを物理アップリンク共有チャネル上で送信させるためのコード、前記チャネル品質インジケータ専用フィードバックペイロードを送信するために使用される前記変調スキームは、前記変調及び符号化スキームインデクスと、前記チャネル品質インジケータスケジューリングメッセージが前記ダウンリンク制御情報フォーマット０または前記ダウンリンク制御情報フォーマット４を用いて送信されるかどうかとに依存する、と、
を備える、コンピュータ読取可能な持続性の記憶媒体。
【請求項４８】
チャネル品質インジケータ専用フィードバックペイロードをスケジューリングするための命令を有するコンピュータ読取可能な持続性の記憶媒体であって、
前記命令は、
無線デバイスに、チャネル品質インジケータスケジューリングメッセージを生成させるためのコード、ここで、前記チャネル品質インジケータスケジューリングメッセージは、前記チャネル品質インジケータ専用フィードバックペイロードの変調スキーム及び符号化レートを規定する、２９または３１に設定される変調及び符号化スキームインデクスを含む、と、
前記無線デバイスに、前記チャネル品質インジケータ専用フィードバックペイロードのために、四位相偏移変調か１６直角位相振幅変調かが必要とされるかを決定させるためのコードと、
前記無線デバイスに、前記チャネル品質インジケータ専用フィードバックペイロードのために、四位相偏移変調か１６直角位相振幅変調かが必要とされるかに、及び、前記チャネル品質インジケータスケジューリングメッセージがダウンリンク制御情報フォーマット０またはダウンリンク制御情報フォーマット４を用いて送信されるかどうかに従って変調及び符号化スキームインデクスを２９または３１に設定させるためのコード、前記ダウンリンク制御情報フォーマット０は物理アプリンク共有チャネルについてのリソースグラントの送信のために使用され、前記ダウンリンク制御情報フォーマット４は、アップリンク複数入力複数出力動作をサポートするために、前記物理アプリンク共有チャネルについての前記リソースグラントの送信のために使用される、と、
前記ダウンリンク制御情報フォーマット０または前記ダウンリンク制御フォーマット４を使用して、物理ダウンリンク制御チャネル上で、前記無線デバイスに、前記チャネル品質インジケータスケジューリングメッセージを無線通信デバイスへ送信させるためのコードと、
を備える、コンピュータ読取可能な持続性の記憶媒体。
【発明の詳細な説明】
【関連出願】
【０００１】
本願は、参照によって本願に組み込まれた、２０１０年１１月８日出願の“CQI ONLY TRANSMISSION ON PUSCH”と題された米国特許仮出願第６１／４１１３４５号に関し、上記出願からの優先権を主張する。
【技術分野】
【０００２】
本開示は一般に、無線通信システムに関する。本開示は特に、ＰＵＳＣＨにおけるＣＱＩ専用送信のためのシステム及び方法に関する。
【背景技術】
【０００３】
無線通信システムは、例えば音声、ビデオ、データなどのような様々なタイプの通信コンテンツを提供するために幅広く展開されている。これらのシステムは、１つ又は複数の基地局と複数の端末との同時通信をサポートすることができる多元接続システムであることができる。
【０００４】
端末は、基地局と端末との間のチャネルに関するデータを生成することができる。例えば端末は、チャネル品質インジケータ（ＣＱＩ）及びプリコーディングマトリクスインジケータ（ＰＭＩ）を生成することができる。このデータは、干渉を低減しながら端末へのダウンリンクスループットを増加させることができる。無線通信システムが複雑になるにつれ、基地局と端末との間のチャネルに関して端末によって生成されたデータの量は増加し続ける。チャネル品質インジケータ（ＣＱＩ）の生成及び送信に関する改善によって利益が実現されうる。
【発明の概要】
【０００５】
チャネル品質インジケータ専用フィードバックペイロードを送信するための方法が記載される。基地局からのチャネル品質インジケータスケジューリングメッセージが受信される。チャネル品質インジケータ専用フィードバックペイロードが生成される。チャネル品質インジケータ専用フィードバックペイロードが物理アップリンク共有チャネル上で送信される。
【０００６】
方法は、無線通信デバイスによって実行されうる。チャネル品質インジケータスケジューリングメッセージ内の変調及び符号化スキームインデクスが２９に設定され、チャネル品質インジケータスケジューリングメッセージがダウンリンク制御情報フィーマット０を用いて送信された場合、チャネル品質インジケータ専用フィードバックペイロードは四位相偏移変調を用いて送信されうる。チャネル品質インジケータスケジューリングメッセージ内の変調及び符号化スキームインデクスが３１に設定され、チャネル品質インジケータスケジューリングメッセージがダウンリンク制御情報フォーマット０を用いて送信された場合、チャネル品質インジケータ専用フィードバックペイロードは１６直角位相振幅変調を用いて送信されうる。
【０００７】
アップリンク送信のランク（rank）が１に等しく、チャネル品質インジケータスケジューリングメッセージ内の第１の変調及び符号化スキームインデクスが２９に設定され、チャネル品質インジケータスケジューリングメッセージがダウンリンク制御情報フォーマット４を用いて送信された場合、チャネル品質インジケータ専用フィードバックペイロードは四位相偏移変調を用いて送信されうる。アップリンク送信のランクが１に等しく、チャネル品質インジケータスケジューリングメッセージ内の第１の変調及び符号化スキームインデクスが３１に設定され、チャネル品質インジケータスケジューリングメッセージがダウンリンク制御情報フォーマット４を用いて送信された場合、チャネル品質インジケータ専用フィードバックペイロードは１６直角位相振幅変調を用いて送信されうる。
【０００８】
アップリンク送信のランクが１よりも大きく、チャネル品質インジケータスケジューリングメッセージ内の第１の変調及び符号化スキームインデクスが２９に設定され、チャネル品質インジケータスケジューリングメッセージ内の第２の変調及び符号化スキームインデクスが２９に設定され、チャネル品質インジケータスケジューリングメッセージがダウンリンク制御情報フォーマット４を用いて送信された場合、チャネル品質インジケータ専用フィードバックペイロードは全てのレイヤ上で四位相偏移変調を用いて送信されうる。
【０００９】
チャネル品質インジケータ専用フィードバックペイロードは、チャネル品質インジケータスケジューリングメッセージにおける要求された物理リソースブロックの数を用いて送信されうる。
【００１０】
チャネル品質インジケータ専用フィードバックペイロードをスケジューリングするための方法も記載される。方法は、チャネル品質インジケータスケジューリングメッセージの生成を開始することを含む。方法はまた、チャネル品質インジケータ専用フィードバックペイロードのために、四位相偏移変調か１６直角位相振幅変調かが必要とされるかを決定することも含む。チャネル品質インジケータ専用フィードバックペイロードのために、四位相偏移変調か１６直角位相振幅変調かが必要とされるかに従って変調及び符号化スキームインデクスが設定される。チャネル品質インジケータスケジューリングメッセージが無線通信デバイスへ送信される。
【００１１】
方法は、基地局によって実行されうる。チャネル品質インジケータスケジューリングメッセージは物理ダウンリンク制御チャネル上で送信されうる。チャネル品質インジケータスケジューリングメッセージは、チャネル品質専用フィードバックペイロードのために四位相偏移変調が必要とされる場合、ダウンリンク制御情報フォーマット０を用いて送信されうる。変調及び符号化スキームインデクスは２９に設定されうる。
【００１２】
チャネル品質インジケータスケジューリングメッセージは、チャネル品質インジケータ専用フィードバックペイロードのために１６直角位相振幅変調が必要とされる場合、ダウンリンク制御情報フォーマット０を用いて送信されうる。変調及び符号化スキームインデクスは３１に設定されうる。
【００１３】
チャネル品質インジケータスケジューリングメッセージはダウンリンク制御情報フォーマット４を用いて送信されうる。チャネル品質インジケータ専用フィードバックペイロードのランクが１よりも大きいかが決定されうる。チャネル品質インジケータ専用フィードバックペイロードのランクが１であり、チャネル品質インジケータ専用フィードバックペイロードのために四位相偏移変調が必要とされる場合、第１の変調及び符号化スキームインデクスは２９に設定されうる。チャネル品質インジケータ専用フィードバックペイロードのランクが１であり、チャネル品質インジケータ専用フィードバックペイロードのために１６直角位相振幅変調が必要とされる場合、第１の変調及び符号化スキームインデクスは３１に設定されうる。
【００１４】
チャネル品質インジケータ専用フィードバックペイロードの要求された物理リソースブロックの数は、物理リソースブロックの最大数に設定されうる。物理リソースブロックの最大数は、非周期的チャネル品質インジケータ報告モードが設定される場合、マルチキャリア非周期的チャネル品質インジケータ報告がサポートされる場合、及び／又は、システム帯域幅設定が５メガヘルツよりも大きい場合、４よりも大きい値に設定されうる。物理リソースブロックの最大数は、非周期的チャネル品質インジケータ報告モードが設定されず、マルチキャリア非周期的チャネル品質インジケータ報告がサポートされず、システム帯域幅設定が５メガヘルツよりも大きい場合、４よりも小さい、または等しい値に設定されうる。
【００１５】
チャネル品質インジケータ専用フィードバックペイロードのランクが１よりも大きい場合、チャネル品質インジケータ専用フィードバックペイロードのために四位相偏移変調が必要とされうる。第１の変調及び符号化スキームインデクスが２９に設定され、第２の変調及び符号化スキームインデクスも２９に設定されうる。チャネル品質インジケータ専用フィードバックペイロードの要求された物理リソースブロックの数は、４より小さい、または等しい値に設定されうる。
【００１６】
チャネル品質インジケータ専用フィードバックペイロードを送信するために構成された無線デバイスも記載される。無線デバイスは、プロセッサと、プロセッサと電子的に通信を行なうメモリと、メモリ内に格納された命令とを含む。命令は、基地局からのチャネル品質インジケータスケジューリングメッセージを受信するためにプロセッサによって実行可能である。命令はまた、チャネル品質インジケータ専用フィードバックペイロードを生成するためにプロセッサによって実行可能である。命令は更に、物理アップリンク共有チャネル上でチャネル品質インジケータ専用フィードバックペイロードを送信するためにプロセッサによって実行可能である。
【００１７】
チャネル品質インジケータ専用フィードバックペイロードをスケジューリングするために構成された無線デバイスが記載される。無線デバイスは、プロセッサと、プロセッサと電子的に通信を行なうメモリと、メモリ内に格納された命令とを含む。命令は、チャネル品質インジケータスケジューリングメッセージの生成を開始するためにプロセッサによって実行可能である。命令はまた、チャネル品質インジケータ専用フィードバックペイロードのために、四位相偏移変調か１６直角位相振幅変調かが必要とされるかを決定するためにプロセッサによって実行可能である。命令は更に、チャネル品質インジケータ専用フィードバックペイロードのために、四位相偏移変調か１６直角位相振幅変調かが必要とされるかに従って変調及び符号化スキームインデクスを設定するためにプロセッサによって実行可能である。命令はまた、チャネル品質インジケータスケジューリングメッセージを無線通信デバイスへ送信するためにプロセッサによって実行可能である。
【００１８】
チャネル品質インジケータ専用フィードバックペイロードを送信するために構成された無線デバイスも記載される。無線デバイスは、基地局からのチャネル品質インジケータスケジューリングメッセージを受信するための手段を含む。無線デバイスはまた、チャネル品質インジケータ専用フィードバックペイロードを生成するための手段も含む。無線デバイスは更に、物理アップリンク共有チャネル上でチャネル品質インジケータ専用フィードバックペイロードを送信するための手段を含む。
【００１９】
チャネル品質インジケータ専用フィードバックペイロードをスケジューリングするために構成された無線デバイスが記載される。無線デバイスは、チャネル品質インジケータ専用フィードバックペイロードのために、四位相偏移変調か１６直角位相振幅変調かが必要であるかを決定するための手段を含む。無線デバイスはまた、チャネル品質インジケータ専用フィードバックペイロードのために、四位相偏移変調か１６直角位相振幅変調かが必要とされるかに従って変調及び符号化スキームインデクスを設定するための手段も含む。無線デバイスは更に、チャネル品質インジケータスケジューリングメッセージを無線通信デバイスへ送信するための手段を含む。
【００２０】
チャネル品質インジケータ専用フィードバックペイロードを送信するためのコンピュータプログラム製品も記載される。コンピュータプログラム製品は、命令を有する非一時的コンピュータ読取可能媒体を含む。命令は、無線デバイスに、基地局からのチャネル品質インジケータスケジューリングメッセージを受信させるためのコードを含む。命令はまた、無線デバイスに、チャネル品質インジケータ専用フィードバックペイロードを生成させるためのコードも含む。命令は更に、無線デバイスに、物理アップリンク共有チャネル上でチャネル品質インジケータ専用フィードバックペイロードを送信させるためのコードを含む。
【００２１】
チャネル品質インジケータ専用フィードバックペイロードをスケジューリングするためのコンピュータプログラム製品が記載される。コンピュータプログラム製品は、命令を有する非一時的コンピュータ読取可能媒体を含む。命令は、無線デバイスに、チャネル品質インジケータスケジューリングメッセージの生成を開始させるためのコードを含む。命令はまた、無線デバイスに、チャネル品質インジケータ専用フィードバックペイロードのために、四位相偏移変調か１６直角位相振幅変調かが必要とされるかを決定させるためのコードも含む。命令は更に、無線デバイスに、チャネル品質インジケータ専用フィードバックペイロードのために、四位相偏移変調か１６直角位相振幅変調か必要とされるかに従って変調及び符号化スキームインデクスを設定させるためのコードを含む。命令はまた、無線デバイスに、チャネル品質インジケータスケジューリングメッセージを無線通信デバイスへ送信させるためのコードも含む。
【図面の簡単な説明】
【００２２】
【図１】図１は、複数の無線デバイスを有する無線通信システムを示す。
【図２】図２は、物理ダウンリンク制御チャネル（ＰＤＣＣＨ）上で基地局からユーザ機器（ＵＥ）へ送信されたチャネル品質インジケータ（ＣＱＩ）スケジューリングメッセージを示す。
【図３】図３は、ダウンリンク制御情報（ＤＣＩ）フォーマット０を用いてＣＱＩ専用フィードバックペイロードをスケジューリングするための方法のフロー図である。
【図４】図４は、ダウンリンク制御情報（ＤＣＩ）フォーマット４を用いてユーザ機器（ＵＥ）のためのＣＱＩ専用フィードバックペイロードをスケジューリングするための方法のフロー図である。
【図５】図５は、ＮＰＲＢの最大数を設定するための方法のフロー図である。
【図６】図６は、物理アップリンク共有チャネル（ＰＵＳＣＨ）上でユーザ機器（ＵＥ）から基地局へ送信されたＣＱＩ専用フィードバックペイロードを示す。
【図７】図７は、物理アップリンク共有チャネル（ＰＵＳＣＨ）上でＣＱＩ専用フィードバックペイロードを送信するための方法のフロー図である。
【図８】図８は、物理アップリンク共有チャネル（ＰＵＳＣＨ）上でＣＱＩ専用フィードバックペイロードを送信するための別の方法のフロー図である。
【図９】図９は、物理アップリンク共有チャネル（ＰＵＳＣＨ）上でＣＱＩ専用フィードバックペイロードを送信するためのまた別の方法のフロー図である。
【図１０】図１０は、無線通信デバイスに含まれうる、あるコンポーネントを示す。
【図１１】図１１は、基地局に含まれうる、あるコンポーネントを示す。
【詳細な説明】
【００２３】
第３世代パートナーシップ・プロジェクト（３ＧＰＰ）は、グローバルに適用可能な第３世代（３Ｇ）モバイルホン仕様書を定めることを目的とする電気通信協会のグループ間の連携である。３ＧＰＰロングターム・エボリューション（ＬＴＥ）は、ユニバーサル・モバイルテレコミュニケーションシステム（ＵＭＴＳ）モバイルホン規格を改善することを目的とした３ＧＰＰプロジェクトである。３ＧＰＰは、次世代のモバイルネットワーク、モバイルシステム、及びモバイルデバイスのための仕様書を定めることができる。３ＧＰＰ  ＬＴＥにおいて、モバイル局又はデバイスは、「ユーザ機器」（ＵＥ）と称されうる。
【００２４】
本明細書で開示されるシステム及び方法は、例えば３ＧＰＰ  Ｒｅｌｅａｓｅ−８、３ＧＰＰ  Ｒｅｌｅａｓｅ−９、３ＧＰＰ  Ｒｅｌｅａｓｅ−１０、ＬＴＥ、及びＬＴＥ−Ａのような１つ又は複数の仕様書に準拠して説明される。しかしその概念は、他の無線通信システムにも適用されうる。
【００２５】
図１は、複数の無線デバイスを有する無線通信システム１００を示す。無線通信システム１００は、例えば音声、データなどのような様々なタイプの通信コンテンツを提供するために幅広く展開されている。無線デバイスは、基地局１０２又は無線通信デバイス１０４であることができる。
【００２６】
基地局１０２は、１つ又は複数の無線通信デバイス１０４と通信する局である。基地局１０２は、アクセスポイント、ブロードキャスト送信機、ノードＢ、次世代ノードＢ、ホーム次世代ノードＢ（ＨｅＮＢ）などとも称され、それらの機能の一部又は全部を含むことができる。本明細書では「基地局」という用語が用いられる。各基地局１０２は、特定の地理的領域のための通信カバレージを提供する。基地局１０２は、１つ又は複数の無線通信デバイス１０４のための通信カバレージを提供することができる。「セル」という用語は、その用語が用いられる文脈に依存して、基地局１０２及び／又はそのカバレージ領域を称することができる。
【００２７】
無線通信デバイス１０４は、端末、アクセス端末、ユーザ機器（ＵＥ）、加入者ユニット、局などとも称され、それらの機能の一部又は全部を含むことができる。無線通信デバイス１０４は、セルラホン、パーソナル・デジタルアシスタント（ＰＤＡ）、無線デバイス、無線モデム、ハンドヘルドデバイス、ラップトップコンピュータなどであることができる。
【００２８】
無線通信デバイス１０４は、任意のある時点に、ダウンリンク及び／又はアップリンク上で０、１、又は複数の基地局１０２と通信することができる。ダウンリンク（すなわち順方向リンク）は基地局１０２から無線通信デバイス１０４への通信リンクを称し、アップリンク（すなわち逆方向リンク）は、無線通信デバイス１０４から基地局１０２への通信リンクを称する。
【００２９】
無線通信システム１００（例えば、多元接続システム）における通信は、無線リンクを介した送信によって達成されうる。そのような通信リンクは、単一入力単一出力（ＳＩＳＯ）システム、複数入力単一出力（ＭＩＳＯ）システム、又は複数入力複数出力（ＭＩＭＯ）システムを介して確立されうる。ＭＩＭＯシステムは、データ送信のための複数（ＮＴ個）の送信アンテナ及び複数（ＮＲ個）の受信アンテナをそれぞれ備えた（複数の）送信機及び（複数の）受信機を含む。ＳＩＳＯシステム及びＭＩＳＯシステムは、ＭＩＭＯシステムの特定の例である。ＭＩＭＯシステムは、複数の送信アンテナ及び受信アンテナによって生成された追加の次元が用いられる場合、より良い性能（例えば、高いスループット、大きい容量、又は高い信頼性）を提供することができる。
【００３０】
無線通信システム１００は、ＭＩＭＯを用いることができる。ＭＩＭＯシステムは、時分割多重（ＴＤＤ）と周波数分割多重（ＦＤＤ）とのシステムの両方をサポートすることができる。ＴＤＤシステムにおいて、相反原理（reciprocity principle）によってアップリンクチャネルからダウンリンクチャネルの推定を可能とするように、アップリンクとダウンリンクとの送信は同一の周波数領域に存在する。これにより、送信中の無線デバイスは、送信中の無線デバイスによって受信された通信から送信ビームフォーミング利得を取り出すことが可能になる。
【００３１】
無線通信システム１００は、利用可能なシステムリソース（例えば、帯域幅及び送信電力）を共有することによって、複数の無線通信デバイス１０４との通信をサポートすることができる多元接続システムであることができる。そのような多元接続システムの例は、符号分割多元接続（ＣＤＭＡ）システム、広帯域符号分割多元接続（Ｗ−ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア−周波数分割多元接続（ＳＣ−ＦＤＭＡ）システム、第３世代パートナーシップ・プロジェクト（３ＧＰＰ）ロングターム・エボリューション（ＬＴＥ）システム、及び空間分割多元接続（ＳＤＭＡ）システムを含む。
【００３２】
「ネットワーク」及び「システム」という用語はしばしば互換性を持って用いられる。ＣＤＭＡネットワークは、例えばユニバーサル・テレストリアル無線アクセス（ＵＴＲＡ）、ｃｄｍａ２０００などのような無線技術を実現することができる。ＵＴＲＡは、Ｗ−ＣＤＭＡ及びロー・チップレート（Low Chip Rate： ＬＣＲ）を含み、ｃｄｍａ２０００は、ＩＳ−２０００規格、ＩＳ−９５規格、及びＩＳ−８５６規格をカバーする。ＴＤＭＡネットワークは、例えばグローバルシステム・フォー・モバイルコミュニケーション（Global System for Mobile Communications： ＧＳＭ（登録商標））のような無線技術を実現することができる。ＯＦＤＭＡネットワークは、例えば次世代ＵＴＲＡ（Ｅ−ＵＴＲＡ）、ＩＥＥＥ８０２．１１、ＩＥＥＥ８０２．１６、ＩＥＥＥ８０２．２０、Ｆｌａｓｈ−ＯＦＤＭＡなどのような無線技術を実現することができる。ＵＴＲＡ、Ｅ−ＵＴＲＡ、及びＧＳＭは、ユニバーサル・モバイル・テレコミュニケーション・システム（ＵＭＴＳ）の一部である。ロングターム・エボリューション（ＬＴＥ）は、Ｅ−ＵＴＲＡを用いるＵＭＴＳのリリースである。ＵＴＲＡ、Ｅ−ＵＴＲＡ、ＧＳＭ、ＵＭＴＳ、及びＬＴＥは、「第３世代パートナーシップ・プロジェクト」（３ＧＰＰ）と名づけられた組織からの文書に記載される。ｃｄｍａ２０００は、「第３世代パートナーシップ・プロジェクト２」（３ＧＰＰ２）と名づけられた組織からの文書に記載される。明確化のために、本技術のある態様は以下でＬＴＥに関して説明され、以下の説明の大部分でＬＴＥの用語が用いられる。
【００３３】
ダウンリンク及びアップリンクの両方において、基地局１０２と無線通信デバイス１０４との間で複数のチャネルが用いられうる。物理アップリンク共有チャネル（ＰＵＳＣＨ）１０６は、無線通信デバイス１０４から基地局１０２へユーザデータを送信するために用いられうる。物理アップリンク制御チャネル（ＰＵＣＣＨ）１０８は、無線通信デバイス１０４から基地局１０２へユーザ・シグナリング・データを搬送するために用いられうる。物理ダウンリンク共有チャネル（ＰＤＳＣＨ）１１０は、基地局１０２から無線通信デバイス１０４へ共通ユーザデータ及び制御情報を送信するために用いられうる。物理ダウンリンク制御チャネル（ＰＤＣＣＨ）１１２は、基地局１０２から無線通信デバイス１０４へ制御情報を送信するために用いられうる。
【００３４】
ＬＴＥ  Ｒｅｌ−８において、ダウンリンク制御情報（ＤＣＩ）フォーマット０のみが、アップリンク共有チャネル（ＵＬ−ＳＣＨ）において、スケジューリングデータを含まない非周期的チャネル品質インジケータ（ＣＱＩ）要求のためにサポートされる。変調及び符号化スキームインデクスＩＭＣＳが２９に設定される場合、ダウンリンク制御情報（ＤＣＩ）フォーマット０におけるチャネル品質インジケータ（ＣＱＩ）要求ビットは１に設定され、物理リソースブロックの数ＮＰＲＢは４以下となり、無線通信デバイス１０４は、アップリンク共有チャネル（ＵＬ−ＳＣＨ）のためのトランスポートブロックがないことを知り、現在の物理アップリンク共有チャネル（ＰＵＳＣＨ）報告モードのためのチャネル品質インジケータ（ＣＱＩ）／プリコーディングマトリクスインジケータ（ＰＭＩ）フィードバックのみが、四位相偏移（ＱＰＳＫ）変調（Ｑｍ＝２）及びＮＰＲＢ個のリソースブロックを用いて物理アップリンク共有チャネル（ＰＵＳＣＨ）１０６上で送信される。
【００３５】
ＬＴＥ  Ｒｅｌ−１０に関するいくつかのシナリオにおいて、物理アップリンク共有チャネル（ＰＵＳＣＨ）１０６上で通常より大きな非周期的チャネル品質インジケータ（ＣＱＩ）／プリコーディングマトリクスインジケータ（ＰＭＩ）フィードバックペイロードが有効となる。より大きな非周期的チャネル品質インジケータ（ＣＱＩ）／プリコーディングマトリクスインジケータ（ＰＭＩ）フィードバックペイロードは、進化したダウンリンク複数入力及び複数出力（ＤＬ−ＭＩＭＯ）動作及び搬送波アグリゲーション（carrier aggregation）を容易にするために用いられうる。
【００３６】
物理アップリンク共有チャネル（ＰＵＳＣＨ）１０６上でＣＱＩのみを報告する場合、大きなペイロードをサポートするために、高い変調次数、大きい送信帯域幅、又は空間多重化のうちの１つを許容することが必要となる。無線通信デバイス１０４は、物理アップリンク共有チャネル（ＰＵＳＣＨ）ＣＱＩ専用報告モジュール１１４を含むことができる。物理アップリンク共有チャネル（ＰＵＳＣＨ）ＣＱＩ専用報告モジュール１１４は、基地局１０２によって指示された場合、ＣＱＩ専用フィードバックペイロードを生成及び送信するために、無線通信デバイス１０４によって用いられうる。チャネル品質インジケータ（ＣＱＩ）は、両方のコードワードの全てのレイヤに存在しうる（すなわち、チャネル品質インジケータ（ＣＱＩ）は、アップリンク共有チャネル（ＵＬ−ＳＣＨ）上のデータと同じものと扱われる）。
【００３７】
Ｒｅｌ−１０の物理アップリンク共有チャネル（ＰＵＳＣＨ）フィードバックモード３−１又は３−２のサポートが、Ｒｅｌ−８相当に比べて最大２倍の数のビットを必要とすると仮定すると、提案された物理リソースブロックの数ＮＰＲＢの範囲の増加は十分であるべきである。提案された変調次数の増加により、高いアップリンク信号対雑音比（ＳＮＲ）の場合における、より効率的な帯域幅の利用が可能になる。またプライマリコンポーネント搬送波（ＰＣＣ）及び１つ又は複数のセカンダリコンポーネント搬送波（ＳＣＣ）のための同時報告のためのサポートも必要とされ、本システム及び方法を用いてサポートされうるが、２より多いコンポーネント搬送波（ＣＣ）の同時ＣＱＩ専用報告は、非常に低い信号対雑音比（ＳＮＲ）の状況において、効率的にサポートされ得ない。
【００３８】
基地局１０２は、チャネル品質インジケータ（ＣＱＩ）スケジューリングモジュール１１６を含むことができる。チャネル品質インジケータ（ＣＱＩ）スケジューリングモジュール１１６は、物理アップリンク共有チャネル（ＰＵＳＣＨ）１０６上でＣＱＩ専用フィードバックペイロードをスケジュールするために基地局１０２によって用いられうる。ＣＱＩ専用報告のために用いられる物理リソースブロックの数ＮＰＲＢは、基地局１０２によって指定されうる。１つの構成において、ＣＱＩ専用報告のために用いられる物理リソースブロックの数ＮＰＲＢは、チャネル品質インジケータ（ＣＱＩ）スケジューリングモジュール１１６において定められたＮＰＲＢの最大数１３２よりも少なくなりうる。ＮＰＲＢの最大数１３２を定めることは、図５に関して以下で説明される。
【００３９】
ダウンリンク制御情報（ＤＣＩ）フォーマット０は、物理アップリンク共有チャネル（ＰＵＳＣＨ）１０６のためのリソース許可（resource grant）を送信するために用いられうる。ダウンリンク制御情報（ＤＣＩ）フォーマット４は、Ｒｅｌｅａｓｅ−１０において導入された新たなフォーマットである。ダウンリンク制御情報（ＤＣＩ）フォーマット４は、アップリンクＭＩＭＯ動作をサポートするために物理アップリンク共有チャネル（ＰＵＳＣＨ）１０６のためのリソース許可を送信するために用いられうる。従ってシステム及び方法は、ランク１（非ＭＩＭＯ）のＣＱＩ専用物理アップリンク共有チャネル（ＰＵＳＣＨ）１０６のための１６直角位相振幅変調（quadrature amplitude modulation： ＱＡＭ）及び四位相偏移（quadrature phase shift keying： ＱＰＳＫ）変調の両方のためのサポートを提供することができる。システム及び方法はまた、大きなフィードバックペイロードが必要であるそれらのシナリオにおいて、ＣＱＩ専用送信のための大きな帯域幅割当てを与えることもできる。システム及び方法は更に、ＣＱＩ専用物理アップリンク共有チャネル（ＰＵＳＣＨ）１０６送信のためのランク−１ビームフォーミング及びランク＞１（ＭＩＭＯ）空間多重化をサポートすることができる。システム及び方法はまた、ＣＱＩ専用物理アップリンク共有チャネル（ＰＵＳＣＨ）１０６の送信をトリガするために、ダウンリンク制御情報（ＤＣＩ）フォーマット０及びダウンリンク制御情報（ＤＣＩ）フォーマット４の両方を許容することもできる。
【００４０】
通常のｒｖｉｄｘシーケンスは、｛０，２，３，１｝である。ｒｖｉｄｘ＝｛１，３｝は用いられる頻度が最も低いと予想されるので、ＣＱＩ専用インジケーションのために２９及び３１の変調及び符号化スキームインデクスＩＭＣＳ２２２値を用いることが提案される。
【００４１】
図２は、物理ダウンリンク制御チャネル（ＰＤＣＣＨ）２１２上で基地局２０２からユーザ機器（ＵＥ）２０４へ送信されたチャネル品質インジケータ（ＣＱＩ）スケジューリングメッセージ２１８を示す。図２のユーザ機器（ＵＥ）２０４は、図１の無線通信デバイス１０４の１つの構成であることができる。図２の基地局２０２は、図１の基地局１０２の１つの構成であることができる。基地局２０２は、ＣＱＩ専用フィードバックペイロードを生成及び送信するようにユーザ機器（ＵＥ）２０４に指示するチャネル品質インジケータ（ＣＱＩ）スケジューリングメッセージ２１８を生成することができる。ＣＱＩ専用フィードバックペイロードは、（ユーザデータを含まず）チャネル品質インジケータ（ＣＱＩ）データのみを含むことができる。基地局２０２は、物理ダウンリンク制御チャネル（ＰＤＣＣＨ）２１２上でユーザ機器（ＵＥ）２０４へチャネル品質インジケータ（ＣＱＩ）スケジューリングメッセージ２１８を送信することができる。
【００４２】
ＣＱＩ専用フィードバックペイロードは、基地局２０２から受信されたチャネル品質インジケータ（ＣＱＩ）スケジューリングメッセージ２１８のダウンリンク制御情報（ＤＣＩ）フォーマット２２０に基づくことができる。ダウンリンク制御情報（ＤＣＩ）フォーマット２２０は、ダウンリンク制御情報（ＤＣＩ）フォーマット０又はダウンリンク制御情報（ＤＣＩ）フォーマット４のいずれかであることができる。チャネル品質インジケータ（ＣＱＩ）スケジューリングメッセージ２１８は、変調及び符号化スキームインデクスＩＭＣＳ２２２を含むこともできる。様々な変調スキーム及び符号化レートが規格によって定められ、ＩＭＣＳ値２２２によって表される。チャネル品質インジケータ（ＣＱＩ）スケジューリングメッセージ２１８におけるＩＭＣＳ値２２２を２９に指定することによって、基地局２０２は、四位相偏移（ＱＰＳＫ）変調（Ｑｍ＝２）を用いるＣＱＩ専用フィードバックペイロードを生成するようにユーザ機器（ＵＥ）２０４に指示することができる。チャネル品質インジケータ（ＣＱＩ）スケジューリングメッセージ２１８におけるＩＭＣＳ値２２２を３１に指定することによって、基地局２０２は、１６直角位相振幅変調（ＱＡＭ）（Ｑｍ＝４）を用いるＣＱＩ専用フィードバックペイロードを生成するようにユーザ機器（ＵＥ）２０４に指示することができる。
【００４３】
チャネル品質インジケータ（ＣＱＩ）スケジューリングメッセージ２１８は、ダウンリンク制御情報（ＤＣＩ）フォーマット０のためのチャネル品質インジケータ（ＣＱＩ）要求ビット２２４を含むことができる。フォーマット０のためのチャネル品質インジケータ（ＣＱＩ）要求ビット２２４は１に設定され、ユーザ機器（ＵＥ）２０４に、チャネル品質インジケータ（ＣＱＩ）をフィードバックすることを示す。
【００４４】
チャネル品質インジケータ（ＣＱＩ）スケジューリングメッセージ２１８は、要求された物理リソースブロックの数ＮＰＲＢ２２８を含むことができる。要求された物理リソースブロックの数ＮＰＲＢは、ＣＱＩ専用フィードバックペイロードのために用いられうる物理リソースブロックの数ＮＰＲＢにおいてユーザ機器（ＵＥ）２０４に指示することができる。チャネル品質インジケータ（ＣＱＩ）スケジューリングメッセージ２１８は更に、循環シフトインデクス（ＣＳＩ）フィールド２３０を含むことができる。ダウンリンク制御情報（ＤＣＩ）フォーマット０及びダウンリンク制御情報（ＤＣＩ）フォーマット４の両方において、復調基準信号（Demodulation Reference Signal： ＤＭ−ＲＳ）のための循環シフトインデクス（ＣＳＩ）シグナリングのために用いられる３ビットのフィールドが存在する。四位相偏移（ＱＰＳＫ）変調は、８つの可能な循環シフト値のサブセットに暗黙にリンクされ、１６直角位相振幅変調（ＱＡＭ）は、循環シフト値の残りのサブセットにリンクされうる。従って１つの構成において、復調基準信号（ＤＭ−ＲＳ）のための３ビットの循環シフトインデクス（ＣＳＩ）フィールド２３０は、ＣＱＩ専用フィードバックペイロードのために１６直角位相振幅変調（ＱＡＭ）又は四位相偏移（ＱＰＳＫ）変調が用いられるべきであることを示すために変調及び符号化スキームインデクスＩＭＣＳに頼るのではなく、ユーザ機器（ＵＥ）２０４へ四位相偏移（ＱＰＳＫ）変調対１６直角位相振幅変調（ＱＡＭ）を示すために用いられることができる。
【００４５】
図３は、ダウンリンク制御情報（ＤＣＩ）フォーマット０を用いてＣＱＩ専用フィードバックペイロードをスケジューリングするための方法３００のフロー図である。方法３００は、ランク−１送信のために基地局１０２によって実行されうる。基地局１０２は、チャネル品質インジケータ（ＣＱＩ）スケジューリングメッセージ２１８の生成を開始することができる（３０２）。基地局１０２は、ダウンリンク制御情報（ＤＣＩ）フォーマット０のためのチャネル品質インジケータ（ＣＱＩ）要求ビット２２４を１に設定することができる（３０４）。
【００４６】
基地局１０２は、チャネル品質インジケータ（ＣＱＩ）フィードバックのために四位相偏移（ＱＰＳＫ）変調か１６直角位相振幅変調（ＱＡＭ）かが必要とされるかを決定することができる（３０６）。１６直角位相振幅変調（ＱＡＭ）を用いることにより、四位相偏移（ＱＰＳＫ）変調よりも大きなペイロードを許容することができる。しかし、四位相偏移（ＱＰＳＫ）変調は、１６直角位相振幅変調（ＱＡＭ）よりも低い信号対雑音比（ＳＮＲ）で復号されうる。チャネル品質インジケータ（ＣＱＩ）フィードバックのために四位相偏移（ＱＰＳＫ）変調が必要とされる場合、基地局１０２は、チャネル品質インジケータ（ＣＱＩ）スケジューリングメッセージ２１８の変調及び符号化スキームインデクスＩＭＣＳ２２２を２９に設定することができる（３１０）。チャネル品質インジケータ（ＣＱＩ）フィードバックのために１６直角位相振幅変調（ＱＡＭ）変調が必要とされる場合、基地局１０２は、チャネル品質インジケータ（ＣＱＩ）スケジューリングメッセージ２１８の変調及び符号化スキームインデクスＩＭＣＳ２２２を３１に設定することができる（３０８）。
【００４７】
基地局１０２はまた、チャネル品質インジケータ（ＣＱＩ）スケジューリングメッセージ２１８の要求された物理リソースブロックの数ＮＰＲＢ２２８をＮＰＲＢの最大数１３２より小さいか、等しい値に設定することもできる（３１２）。ＮＰＲＢの最大数１３２は、図５に関連して以下で更に詳しく記載される。基地局１０２はその後、ダウンリンク制御情報（ＤＣＩ）フォーマット０を用いて、物理ダウンリンク制御チャネル（ＰＤＣＣＨ）２１２上でユーザ機器（ＵＥ）２０４へチャネル品質インジケータ（ＣＱＩ）スケジューリングメッセージ２１８を送信することができる（３１４）。
【００４８】
図４は、ダウンリンク制御情報（ＤＣＩ）フォーマット４を用いてユーザ機器（ＵＥ）２０４のためにＣＱＩ専用フィードバックペイロードをスケジューリングするための方法４００のフロー図である。方法４００は、基地局１０２によって実行されうる。アップリンク複数入力複数出力（ＵＬ  ＭＩＭＯ）は、ユーザ機器（ＵＥ）２０４において使用可能であることができる。基地局１０２は、チャネル品質インジケータ（ＣＱＩ）スケジューリングメッセージ２１８の生成を開始しうる（４０２）。基地局１０２は、ダウンリンク制御情報（ＤＣＩ）フォーマット０のためのチャネル品質インジケータ（ＣＱＩ）要求ビット２２４を１に設定することができる（４０４）。ダウンリンク制御情報（ＤＣＩ）フォーマット４において、ダウンリンク制御情報（ＤＣＩ）フォーマット０のためのチャネル品質インジケータ（ＣＱＩ）要求ビット２２４と同じ機能を提供する、チャネル品質インジケータ（ＣＱＩ）要求のための２つのビットが存在しうる。２ビットのチャネル品質インジケータ（ＣＱＩ）要求ビット２２４の場合、ビット０１、１０、及び１１は、非周期的チャネル品質インジケータ（ＣＱＩ）が特定の構成に従って要求されたことを示す。ビット００は、非周期的チャネル品質インジケータ（ＣＱＩ）が要求されていないことを示す。基地局１０２は、チャネル品質インジケータ（ＣＱＩ）フィードバックのランクが１よりも大きいかを決定することができる（４０６）。１のランクは単一入力単一出力（ＳＩＳＯ）送信を示し、１よりも大きいランクは複数入力複数出力（ＭＩＭＯ）送信を示す。
【００４９】
チャネル品質インジケータ（ＣＱＩ）フィードバックのランクは１より大きくはなく、基地局１０２は、ＣＱＩ専用フィードバックペイロードの要求された物理リソースブロックの数ＮＰＲＢをＮＰＲＢの最大数１３２より小さいか、または等しい値に設定することができる（４０８）。ＮＰＲＢの最大数１３２は、図５に関連して以下で説明される。基地局１０２は、チャネル品質インジケータ（ＣＱＩ）フィードバックのために四位相偏移（ＱＰＳＫ）変調が必要であるか１６直角位相振幅変調（ＱＡＭ）が必要であるかを決定することができる（４１０）。チャネル品質インジケータ（ＣＱＩ）フィードバックのために四位相偏移（ＱＰＳＫ）変調が必要である場合、基地局１０２は、第１の変調及び符号化スキームインデクスＩＭＣＳ，１２２２を２９に設定しうる（４１２）。基地局１０２はその後、ダウンリンク制御情報（ＤＣＩ）フォーマット４を用いて物理ダウンリンク制御チャネル（ＰＤＣＣＨ）２１２上でユーザ機器（ＵＥ）２０４へチャネル品質インジケータ（ＣＱＩ）スケジューリングメッセージ２１８を送信することができる（４１６）。チャネル品質インジケータ（ＣＱＩ）フィードバックのために１６直角位相振幅変調（ＱＡＭ）が必要である場合、基地局１０２は、第１の変調及び符号化スキームインデクスＩＭＣＳ，１２２２を３１に設定しうる（４１４）。基地局１０２はその後、ダウンリンク制御情報（ＤＣＩ）フォーマット４を用いて物理ダウンリンク制御チャネル（ＰＤＣＣＨ）２１２上でユーザ機器（ＵＥ）２０４へチャネル品質インジケータ（ＣＱＩ）スケジューリングメッセージ２１８を送信することができる（４１６）。
【００５０】
チャネル品質インジケータ（ＣＱＩ）フィードバックのランクが１よりも大きい（複数入力複数出力（ＭＩＭＯ）送信を示す）場合、基地局１０２は、第１の変調及び符号化スキームインデクスＩＭＣＳ，１２２２を２９に設定することができる（４１８）。基地局１０２は、第２の変調及び符号化スキームインデクスＩＭＣＳ，２２２２を２９に設定することができる（４２０）。基地局１０２はまた、ＣＱＩ専用フィードバックペイロードの要求された物理リソースブロックの数ＮＰＲＢ２２８を４より小さいか、等しい値に設定することもできる（４２２）。基地局１０２は、ダウンリンク制御情報（ＤＣＩ）フォーマット４を用いて物理ダウンリンク制御チャネル（ＰＤＣＣＨ）２１２上でユーザ機器（ＵＥ）２０４へチャネル品質インジケータ（ＣＱＩ）スケジューリングメッセージ２１８を送信することができる（４１６）。
【００５１】
図５は、ＮＰＲＢの最大数１３２を設定するための方法５００のフロー図である。方法５００は、基地局１０２によって及び／又はユーザ機器（ＵＥ）２０４によって実行されうる。簡略化のために、方法５００は以下で基地局１０２に関して説明される。方法５００は、ダウンリンクコンポーネント搬送波の構成が（semi-statically： 半静的に）変化するとき、実行されうる。ＮＰＲＢの最大数１３２の実際の値は、無線通信デバイス１０４がマルチキャリア非周期的チャネル品質インジケータ（ＣＱＩ）報告及びシステム帯域幅設定をサポートするか否かにかかわらず、非周期的チャネル品質インジケータ（ＣＱＩ）報告モード設定が存在するかに依存しうる。
【００５２】
基地局１０２は、ＮＰＲＢの最大数１３２の設定を開始する（５０２）。基地局１０２は、非周期的チャネル品質インジケータ（ＣＱＩ）報告モードが設定されているかを決定することができる（５０４）。例えば基地局１０２は、物理アップリンク共有チャネル（ＰＵＳＣＨ）フィードバックモード３−２が可動とされるかを決定することができる。非周期的チャネル品質インジケータ（ＣＱＩ）報告モードが設定されている場合、基地局１０２は、ＮＰＲＢの最大数１３２を４よりも大きい値に設定しうる（５０６）。非周期的チャネル品質インジケータ（ＣＱＩ）報告モードが設定されていない場合、基地局１０２は、マルチキャリア非周期的チャネル品質インジケータ（ＣＱＩ）報告がサポートされるかを決定することができる（５０８）。
【００５３】
マルチキャリア非周期的チャネル品質インジケータ（ＣＱＩ）報告がサポートされる場合、基地局１０２は、ＮＰＲＢの最大数１３２を４より大きい値に設定しうる（５０６）。マルチキャリア非周期的チャネル品質インジケータ（ＣＱＩ）報告がサポートされない場合、基地局１０２は、システム帯域幅が５メガヘルツ（ＭＨｚ）よりも大きいかを決定することができる（５１０）。５ＭＨｚは帯域幅閾値として提案される。別の帯域幅閾値が用いられる場合、基地局１０２は、帯域幅設定が新たな帯域幅閾値よりも大きいかを決定することができる。システム帯域幅が５ＭＨｚよりも大きい場合、基地局１０２は、ＮＰＲＢの最大数１３２を４よりも大きい値に設定しうる（５０６）。システム帯域幅が５ＭＨｚ以下である場合、基地局１０２は、ＮＰＲＢの最大数１３２を４より小さいか、等しい値に設定しうる（５１２）。
【００５４】
図６は、物理アップリンク共有チャネル（ＰＵＳＣＨ）６３４上でユーザ機器（ＵＥ）６０４から基地局６０２へ送信されたＣＱＩ専用フィードバックペイロード６３６を示す。図６のユーザ機器（ＵＥ）６０４は、図１の無線通信デバイス６０４の１つの構成であることができる。図６の基地局６０２は、図１の基地局１０２の１つの構成であることができる。ユーザ機器（ＵＥ）６０４は、基地局６０２からのチャネル品質インジケータ（ＣＱＩ）スケジューリングメッセージ２１８の受信に応答して、ＣＱＩ専用フィードバックペイロード６３６を生成することができる。
【００５５】
ＣＱＩ専用フィードバックペイロード６３６は、変調及び符号化スキーム（ＭＣＳ）６２６を用いることができる。ユーザ機器（ＵＥ）６０２は、どの変調及び符号化スキーム（ＭＣＳ）６２６をＣＱＩ専用フィードバックペイロード６３６のために用いるかについて、チャネル品質インジケータ（ＣＱＩ）スケジューリングメッセージ２１８において基地局６０２によって指示されうる。１つの構成において、チャネル品質インジケータ（ＣＱＩ）スケジューリングメッセージ２１８内の変調及び符号化スキームインデクスＩＭＣＳ２２２が２９に設定されている場合、変調及び符号化スキーム（ＭＣＳ）６２６は四位相偏移（ＱＰＳＫ）となりうる。別の構成において、チャネル品質インジケータ（ＣＱＩ）スケジューリングメッセージ２１８内の変調及び符号化スキームインデクスＩＭＣＳ２２２が３１に設定されている場合、変調及び符号化スキーム（ＭＣＳ）６２６は１６直角位相振幅変調（ＱＡＭ）となりうる。ＣＱＩ専用フィードバックペイロード６３６は、物理リソースブロックの数ＮＰＲＢ６３８を含むことができる。ＣＱＩ専用フィードバックペイロード６３６における物理リソースブロックの数ＮＰＲＢ６３８は、チャネル品質インジケータ（ＣＱＩ）スケジューリングメッセージ２１８において要求された物理リソースブロック数ＮＰＲＢ２２８に依存しうる。
【００５６】
図７は、物理アップリンク共有チャネル（ＰＵＳＣＨ）６３４上でＣＱＩ専用フィードバックペイロード６３６を送信するための方法７００のフロー図である。方法７００は、無線通信デバイス１０４によって実行されうる。無線通信デバイス１０４は、基地局１０２からのチャネル品質インジケータ（ＣＱＩ）スケジューリングメッセージ２１８を受信することができる（７０２）。無線通信デバイス１０４は、ＣＱＩ専用フィードバックペイロード６３６を生成することができる（７０４）。無線通信デバイス１０４はその後、物理アップリンク共有チャネル（ＰＵＳＣＨ）６３４上でＣＱＩ専用フィードバックペイロード６３６を送信することができる（７０６）。
【００５７】
図８は、物理アップリンク共有チャネル（ＰＵＳＣＨ）６３４上でＣＱＩ専用フィードバックペイロード６３６を送信するための別の方法８００のフロー図である。方法８００は、無線通信デバイス１０４によって実行されうる。無線通信デバイス１０４は、基地局１０２からのチャネル品質インジケータ（ＣＱＩ）スケジューリングメッセージ２１８を受信することができる（８０２）。チャネル品質インジケータ（ＣＱＩ）スケジューリングメッセージ２１８は、ダウンリンク制御情報（ＤＣＩ）フォーマット０を用いて送信されうる。無線通信デバイス１０４は、ダウンリンク制御情報（ＤＣＩ）フォーマット０のためのチャネル品質インジケータ（ＣＱＩ）要求ビット２２４が１に設定されているかを決定することができる（８０４）。チャネル品質インジケータ（ＣＱＩ）スケジューリングメッセージ２１８のダウンリンク制御情報（ＤＣＩ）フォーマット０のためのチャネル品質インジケータ（ＣＱＩ）要求ビット２２４が１に設定されていない場合、（チャネル品質インジケータ（ＣＱＩ）フィードバックが要求されていないので）方法８００は終了しうる。
【００５８】
チャネル品質インジケータ（ＣＱＩ）スケジューリングメッセージのダウンリンク制御情報（ＤＣＩ）フォーマット０のためのチャネル品質インジケータ（ＣＱＩ）要求ビット２２４が１に設定されている場合、無線通信デバイス１０４は、チャネル品質インジケータ（ＣＱＩ）スケジューリングメッセージ２１８の変調及び符号化スキームインデクスＩＭＣＳ２２２が２９又は３１のいずれかに設定されているかを決定することができる（８０６）。チャネル品質インジケータ（ＣＱＩ）スケジューリングメッセージ２１８の変調及び符号化スキームインデクスＩＭＣＳ２２２が２９又は３１以外の数に設定されている場合、無線通信デバイス１０４は、通常のチャネル品質インジケータ（ＣＱＩ）フィードバックペイロードを送信することができる（８０８）。
【００５９】
チャネル品質インジケータ（ＣＱＩ）スケジューリングメッセージ２１８の変調及び符号化スキームインデクスＩＭＣＳ２２２が２９又は３１のいずれかに設定されている場合、無線通信デバイス１０４は、チャネル品質インジケータ（ＣＱＩ）スケジューリングメッセージ２１８の変調及び符号化スキームインデクスＩＭＣＳ２２２が２９に設定されているか３１に設定されているかを決定することができる（８１０）。変調及び符号化スキームインデクスＩＭＣＳ２２２が２９に設定されていた場合、無線通信デバイス１０４は、物理アップリンク共有チャネル（ＰＵＳＣＨ）６３４上で、要求された物理リソースブロックの数ＮＰＲＢ６３８及び四位相偏移（ＱＰＳＫ）変調を用いて対応するプリコーディングベクトルとともにＣＱＩ専用フィードバックペイロード６３６を送信することができる（８１２）。変調及び符号化スキームインデクスＩＭＣＳ２２２が３１に設定されていた場合、無線通信デバイス１０４は、物理アップリンク共有チャネル（ＰＵＳＣＨ）６３４上で、要求された物理リソースブロックの数ＮＰＲＢ６３８及び１６直角位相振幅変調（ＱＡＭ）を用いて対応するプリコーディングベクトルとともにＣＱＩ専用フィードバックペイロード６３６を送信することができる（８１４）。
【００６０】
図９は、物理アップリンク共有チャネル（ＰＵＳＣＨ）６３４上でＣＱＩ専用フィードバックペイロード６３６を送信するためのまた別の方法９００のフロー図である。方法９００は、無線通信デバイス１０４によって実行されうる。無線通信デバイス１０４は、基地局１０２からのチャネル品質インジケータ（ＣＱＩ）スケジューリングメッセージ２１８を受信することができる（９０２）。チャネル品質インジケータ（ＣＱＩ）スケジューリングメッセージ２１８は、ダウンリンク制御情報（ＤＣＩ）フォーマット４を用いて送信されうる。無線通信デバイス１０４は、ダウンリンク制御情報（ＤＣＩ）フォーマット０のためのチャネル品質インジケータ（ＣＱＩ）要求ビット２２４が１に設定されているかを決定することができる（９０４）。チャネル品質インジケータ（ＣＱＩ）スケジューリングメッセージ２１８のダウンリンク制御情報（ＤＣＩ）フォーマット０のためのチャネル品質インジケータ（ＣＱＩ）要求ビット２２４が１に設定されていない場合、方法９００は終了しうる。
【００６１】
チャネル品質インジケータ（ＣＱＩ）スケジューリングメッセージ２１８のダウンリンク制御情報（ＤＣＩ）フォーマット０のためのチャネル品質インジケータ（ＣＱＩ）要求ビット２２４が１に設定されている場合、無線通信デバイス１０４は、アップリンク送信のランクが１よりも大きいかを決定することができる（９０８）。アップリンク送信のランクが１より大きくない場合、無線通信デバイス１０４は、チャネル品質インジケータ（ＣＱＩ）スケジューリングメッセージ２１８の第１の変調及び符号化スキームインデクスＩＭＣＳ，１２２２が２９又は３１のいずれかに設定されているかを決定することができる（９１０）。チャネル品質インジケータ（ＣＱＩ）スケジューリングメッセージ２１８の第１の変調及び符号化スキームインデクスＩＭＣＳ，１２２２が２９又は３１以外の数に設定されている場合、無線通信デバイス１０４は、通常のチャネル品質インジケータ（ＣＱＩ）フィードバックペイロードを送信することができる（９０６）。
【００６２】
チャネル品質インジケータ（ＣＱＩ）スケジューリングメッセージ２１８の第１の変調及び符号化スキームインデクスＩＭＣＳ，１２２２が２９又は３１のいずれかに設定されている場合、無線通信デバイス１０４は、チャネル品質インジケータ（ＣＱＩ）スケジューリングメッセージ２１８の第１の変調及び符号化スキームインデクスＩＭＣＳ，１２２２が２９に設定されているか３１に設定されているかを決定することができる（９１２）。第１の変調及び符号化スキームインデクスＩＭＣＳ，１２２２が２９に設定されていた場合、無線通信デバイス１０４は、要求された物理リソースブロックの数ＮＰＲＢ６３８及び四位相偏移（ＱＰＳＫ）変調を用いて、物理アップリンク共有チャネル（ＰＵＳＣＨ）６３４上で、対応するプリコーディングベクトルとともにＣＱＩ専用フィードバックペイロード６３６を送信することができる（９１４）。第１の変調及び符号化スキームＩＭＣＳ，１２２２が３１に設定されていた場合、無線通信デバイス１０４は、要求された物理リソースブロックの数ＮＰＲＢ６３８及び１６直角位相振幅変調（ＱＡＭ）を用いて、物理アップリンク共有チャネル（ＰＵＳＣＨ）６３４上で、対応するプリコーディングベクトルとともにＣＱＩ専用フィードバックペイロード６３６を送信することができる（９１６）。
【００６３】
アップリンク送信のランクが１よりも大きい場合、無線通信デバイス１０４は、第１の変調及び符号化スキームインデクスＩＭＣＳ，１２２２及び第２の変調及び符号化スキームインデクスＩＭＣＳ，２２２２が両方とも２９に設定されているかを決定することができる（９１８）。第１の変調及び符号化スキームインデクスＩＭＣＳ，１２２２又は第２の変調及び符号化スキームインデクスＩＭＣＳ，２２２２のいずれかが２９以外の値に設定されている場合、無線通信デバイス１０４は、通常のチャネル品質インジケータ（ＣＱＩ）フィードバックペイロードを送信することができる（９２２）。第１の変調及び符号化スキームインデクスＩＭＣＳ，１２２２及び第２の変調及び符号化スキームインデクスＩＭＣＳ，２２２２が両方とも２９に設定されている場合、無線通信デバイス１０４は、要求された物理リソースブロックの数ＮＰＲＢ６３８及び四位相偏移（ＱＰＳＫ）を用いて、物理アップリンク共有チャネル（ＰＵＳＣＨ）６３４における許可によって指定された対応するプリコーディングマトリクスとともにＣＱＩ専用フィードバックペイロード６３６を送信することができる（９２０）。
【００６４】
図１０は、無線通信デバイス１００４に含まれうるあるコンポーネントを示す。無線通信デバイス１００４は、アクセス端末、モバイル局、ユーザ機器（ＵＥ）などであることができる。無線通信デバイス１００４は、プロセッサ１００３を含む。プロセッサ１００３は、汎用シングルチップ又はマルチチップ・マイクロプロセッサ（例えば、ＡＲＭ）、専用マイクロプロセッサ（例えば、デジタル信号プロセッサ（ＤＳＰ））、マイクロコントローラ、プログラマブル・ゲート・アレイなどであることができる。プロセッサ１００３は、中央処理ユニット（ＣＰＵ）とも称されうる。図１０の無線通信デバイス１００４には単一のプロセッサ１００３しか示されないが、別の構成において、プロセッサの組み合わせ（例えば、ＡＲＭとＤＳＰとの組み合わせ）を用いることができる。
【００６５】
無線通信デバイス１００４はまた、メモリ１００５を含む。メモリ１００５は、電子情報を格納することができる任意の電子部品であることができる。メモリ１００５は、ランダム・アクセス・メモリ（ＲＡＭ）、読取専用メモリ（ＲＯＭ）、磁気ディスク記憶媒体、光学記憶媒体、ＲＡＭ内のフラッシュ・メモリ・デバイス、プロセッサに含まれる搭載メモリ、ＥＰＲＯＭメモリ、ＥＥＰＲＯＭメモリ、レジスタなどとして具現化され、それらの組み合わせも含む。
【００６６】
データ１００７ａ及び命令１００９ａは、メモリ１００５内に格納されうる。命令１００９ａは、本明細書で説明された方法を実現するためにプロセッサ１００３によって実行可能であることができる。命令１００９ａの実行は、メモリ１００５内に格納されたデータ１００７ａを用いることを含みうる。プロセッサ１００３が命令１００９ａを実行すると、命令１００９ｂの様々な部分がプロセッサ１００３にロードされ、データ１００７ｂの様々な部分がプロセッサ１００３にロードされうる。
【００６７】
無線通信デバイス１００４はまた、無線通信デバイス１００４との信号の送受信を可能にするための送信機１０１１及び受信機１０１３を含むこともできる。送信機１０１１及び受信機１０１３は、集合的にトランシーバ１０１５として称されうる。アンテナ１０１７は、トランシーバ１０１５に電子的に結合されうる。無線通信デバイス１００４はまた、（図示されないが）複数の送信機、複数の受信機、複数のトランシーバ、及び／又は追加のアンテナを含むこともできる。
【００６８】
無線通信デバイス１００４はデジタル信号プロセッサ（ＤＳＰ）１０２１を含むことができる。無線通信デバイス１００４はまた、通信インタフェース１０２３を含むこともできる。通信インタフェース１０２３によって、ユーザは、無線通信デバイス１００４とインタラクトすることが可能になる。
【００６９】
無線通信デバイス１００４の様々なコンポーネントは、電力バス、制御信号バス、状態信号バス、データ・バスなどを含みうる１つ又は複数のバスによって互いに結合されうる。明確化のために、様々なバスは、図１０においてバス・システム１０１９として示される。
【００７０】
図１１は、基地局１１０２に含まれうるあるコンポーネントを示す。基地局１１０２は、アクセスポイント、ブロードキャスト送信機、ノードＢ、次世代ノードＢなどとも称され、それらの機能の一部又は全部を含むことができる。基地局１１０２は、プロセッサ１１０３を含む。プロセッサ１１０３は、汎用シングルチップ又はマルチチップ・マイクロプロセッサ（例えばＡＲＭ）、専用マイクロプロセッサ（例えば、デジタル信号プロセッサ（ＤＳＰ））、マイクロコントローラ、プログラマブル・ゲート・アレイなどであることができる。プロセッサ１１０３は、中央処理ユニット（ＣＰＵ）とも称されうる。図１１の基地局１１０２内には単一のプロセッサ１１０３しか示されないが、別の構成において、プロセッサの組み合わせ（例えば、ＡＲＭとＤＳＰとの組み合わせ）を用いることができる。
【００７１】
基地局１１０２はまた、メモリ１１０５を含む。メモリ１１０５は、電子情報を格納することができる任意の電子部品であることができる。メモリ１１０５は、ランダム・アクセス・メモリ（ＲＡＭ）、読取専用メモリ（ＲＯＭ）、磁気ディスク記憶媒体、光学記憶媒体、ＲＡＭ内のフラッシュ・メモリ・デバイス、プロセッサに含まれた搭載メモリ、ＥＰＲＯＭメモリ、ＥＥＰＲＯＭメモリ、レジスタなどとして具現化され、それらの組み合わせも含む。
【００７２】
データ１１０７ａ及び命令１１０９ａは、メモリ１１０５内に格納されうる。命令１１０９ａは、本明細書に開示された方法を実現するためにプロセッサ１１０３によって実行可能であることができる。命令１１０９ａの実行は、メモリ１１０５内に格納されたデータ１１０７ａを用いることを含みうる。プロセッサ１１０３が命令１１０９ａを実行すると、命令１１０９ｂの様々な部分がプロセッサ１１０３にロードされ、データ１１０７ｂの様々な部分がプロセッサ１１０３にロードされうる。
【００７３】
基地局１１０２はまた、基地局１１０２との信号の送受信を可能にするための送信機１１１１及び受信機１１１３を含むことができる。送信機１１１１及び受信機１１１３は、集合的にトランシーバ１１１５として称されうる。アンテナ１１１７は、トランシーバ１１１５に電子的に結合されうる。基地局１１０２はまた、（図示されないが）複数の送信機、複数の受信機、複数のトランシーバ、及び／又は追加のアンテナを含むこともできる。
【００７４】
基地局１１０２は、デジタル信号プロセッサ（ＤＳＰ）１１２１を含むことができる。基地局１１０２はまた、通信インタフェース１１２３を含むこともできる。通信インタフェース１１２３によって、ユーザは基地局１１０２とインタラクトすることが可能になる。
【００７５】
基地局１１０２の様々なコンポーネントは、電力バス、制御信号バス、状態信号バス、データ・バスなどを含みうる１つ又は複数のバスによって互いに結合されうる。明確化のために、様々なバスは図１１においてバス・システム１１９として示される。
【００７６】
本明細書で説明された技術は、直交多重化スキームに基づく通信システムを含む様々な通信システムのために用いられうる。そのような通信システムの例は、直交周波数分割多元接続（ＯＦＤＭＡ）システム、シングルキャリア−周波数分割多元接続（ＳＣ−ＦＤＭＡ）システムなどを含む。ＯＦＤＭＡシステムは、システム帯域幅全体を複数の直交サブキャリア（直交副搬送波）に分割する変調技術である、直交周波数分割多重（ＯＦＤＭ）を用いる。これらのサブキャリアは、トーン、ビンなどとも称されうる。ＯＦＤＭの場合、各サブキャリアはデータを用いて個々に変調されうる。ＳＣ−ＦＤＭＡシステムは、システム帯域幅にわたって散在するサブキャリア上で送信するためにインタリーブされたＦＤＭＡ（ＩＦＤＭＡ）、隣接サブキャリアのブロック上で送信するためにローカル化されたＦＤＭＡ（ＬＦＤＭＡ）、又は隣接サブキャリアの複数のブロック上で送信するためにエンハンスドＦＤＭＡ（ＥＦＤＭＡ）を用いることができる。一般に、変調シンボルは、周波数領域においてＯＦＤＭを用いて送信され、時間領域においてＳＣ−ＦＤＭＡを用いて送信される。
【００７７】
「決定する」（“determining”）という用語は、幅広く様々な動作を包括し、計算すること（calculating）、計算処理すること（computing）、処理すること、導出すること、調査すること、検索する（例えば、テーブル、データベース、又は別のデータ構成内を検索する）こと、確認すること、などを含むことができる。また「決定する」ことは、受信する（例えば、情報を受信する）こと、アクセスする（例えば、メモリ内のデータにアクセスする）ことなどを含むこともできる。また「決定する」ことは、解決すること（resolving）、選択すること（selecting）、選定すること（choosing）、確立すること、なども含むことができる。
【００７８】
「基づく」という語句は、明確に記載されない限り、「〜のみに基づく」ことは意味していない。すなわち、「基づく」という語句は、「〜のみに基づく」こと及び「少なくとも〜に基づく」ことの両方を示す。
【００７９】
「プロセッサ」という用語は、汎用プロセッサ、中央処理ユニット（ＣＰＵ）、マイクロプロセッサ、デジタル信号プロセッサ（ＤＳＰ）、コントローラ、マイクロコントローラ、ステートマシンなどを包括するように幅広く解釈されるべきである。いくつかの環境下では、「プロセッサ」は、特定用途向け集積回路（ＡＳＩＣ）、プログラマブル・ロジックデバイス（ＰＬＤ）、フィールド・プログラマブル・ゲートアレイ（ＦＰＧＡ）などを称することができる。「プロセッサ」という用語は、例えばＤＳＰとマイクロプロセッサとの組み合わせ、複数のマイクロプロセッサ、ＤＳＰコアに接続された１つ又は複数のマイクロプロセッサ、又は他の任意のそのような構成といった処理デバイスの組み合わせを称することができる。
【００８０】
「メモリ」という用語は、電子情報を格納（記憶）することができる任意の電子部品を包括するように幅広く解釈されるべきである。メモリという用語は、例えばランダム・アクセス・メモリ（ＲＡＭ）、読取専用メモリ（ＲＯＭ）、不揮発性ランダム・アクセス・メモリ（ＮＶＲＡＭ）、プログラマブル読取専用メモリ（ＰＲＯＭ）、消去可能プログラマブル読取専用メモリ（ＥＰＲＯＭ）、電気的消去可能ＰＲＯＭ（ＥＥＰＲＯＭ）、フラッシュ・メモリ、磁気データ記憶媒体又は光学データ記憶媒体、レジスタなどのような様々なタイプのプロセッサ読取可能媒体を称することができる。メモリは、プロセッサがそこから情報を読み取る及び／又はそこへ情報を書き込むことができる場合、プロセッサと電子的に通信することができるとされる。プロセッサと一体化されたメモリは、プロセッサと電子的に通信可能である。
【００８１】
「命令」及び「コード」という用語は、任意のタイプのコンピュータ読取可能命令文を含むように幅広く解釈されるべきである。例えば「命令」及び「コード」という用語は、１つ又は複数のプログラム、ルーチン、サブルーチン、関数、手順などを称することができる。「命令」及び「コード」は、単一のコンピュータ読取可能命令文又は多数のコンピュータ読取可能命令文を備えることができる。
【００８２】
本明細書で説明された機能は、ハードウェアによって実行されているファームウェア又はソフトウェアによって実現されうる。機能は、コンピュータ読取可能媒体上の１つ又は複数の命令として格納されうる。「コンピュータ読取可能媒体」又は「コンピュータプログラム製品」という用語は、コンピュータ又はプロセッサによってアクセスすることができる任意のタンジブルな（実体のある）記憶媒体をいう。限定ではなく一例として、コンピュータ読取可能媒体は、ＲＡＭ、ＲＯＭ、ＥＥＰＲＯＭ、ＣＤ−ＲＯＭあるいは他の光学ディスク記憶媒体、磁気ディスク記憶媒体あるいは他の磁気記憶デバイス、又は、命令あるいはデータの形式で所望のプログラムコードを搬送あるいは格納するために用いることができ、コンピュータによってアクセスすることができる他の任意の媒体を備えることができる。ディスク（disk）及びディスク（disc）は、本明細書において用いられる場合、コンパクト・ディスク（disc）（ＣＤ）、レーザ・ディスク（disc）、光学ディスク（disc）、デジタル・バーサタイル・ディスク（disc）（ＤＶＤ）、フロッピー（登録商標）ディスク（disk）、及びブルーレイ（登録商標）ディスク（disc）を含み、ディスク（disk）が通常データを磁気的に再生するのに対し、ディスク（disc）はレーザを用いてデータを光学的に再生する。コンピュータ読取可能媒体はタンジブルかつ非一時的でありうることが留意されるべきである。「コンピュータプログラム製品」という用語は、コンピュータデバイス又はプロセッサによって実行、処理、又は計算処理することができるコード又は命令（例えば、「プログラム」）と組み合わせてコンピュータデバイス又はプロセッサをいう。本明細書において用いられる場合、「コード」という用語は、コンピュータデバイス又はプロセッサによって実行可能なソフトウェア、命令、コード、又はデータを称することができる。
【００８３】
本明細書で説明された方法は、説明された方法を達成するための１つ又は複数のステップ又はアクションを備えることができる。方法のステップ及び／又はアクションは、特許請求の範囲から逸脱することなく互いに入れ替えることができる。すなわち、説明されている方法の正常な動作のためにステップ又はアクションの特定の順序が必要でないかぎり、特定のステップ及び／又はアクションの順序及び／又は使用は、特許請求の範囲から逸脱することなく変更することができる。
【００８４】
更に、例えば図３−５及び図７−９によって示されたような、本明細書で説明された方法及び技術を実行するためのモジュール及び／又は他の適切な手段は、デバイスによってダウンロード及び／又は他の方法で取得することができる。例えばデバイスは、本明細書で説明された方法を実行するための手段の転送を容易にするためにサーバに接続することができる。あるいは本明細書で説明された様々な方法は、デバイスに記憶手段を接続又は提供するとデバイスが様々な方法を取得することができるように、記憶手段（例えば、ランダム・アクセス・メモリ（ＲＡＭ）、読取専用メモリ（ＲＯＭ）、例えばコンパクト・ディスク（ＣＤ）あるいはフロッピー・ディスクのような物理記憶媒体など）を介して提供されうる。
【００８５】
特許請求の範囲は、上述された構成及びコンポーネントと同じものに限定されないことが理解されるべきである。特許請求の範囲から逸脱することなく、本明細書に記載されたシステム、方法、及び装置の構成、動作、及び詳細における様々な改良、変更、及び変形例が成されうる。
以下に、本願願書に最初に添付した特許請求の範囲に記載の発明を付記する。
［Ｃ１］  チャネル品質インジケータ専用フィードバックペイロードを送信するための方法であって、  基地局からのチャネル品質インジケータスケジューリングメッセージを受信することと、  チャネル品質インジケータ専用フィードバックペイロードを生成することと、  物理アップリンク共有チャネル上で前記チャネル品質インジケータ専用フィードバックペイロードを送信することと、を備える方法。
［Ｃ２］  前記方法は無線通信デバイスによって実行される、［Ｃ１］に記載の方法。
［Ｃ３］  前記チャネル品質インジケータスケジューリングメッセージ内の変調及び符号化スキームインデクスが２９に設定され、前記チャネル品質インジケータスケジューリングメッセージがダウンリンク制御情報フォーマット０を用いて送信された場合、前記チャネル品質インジケータ専用フィードバックペイロードは四位相偏移変調を用いて送信される、［Ｃ１］に記載の方法。
［Ｃ４］  前記チャネル品質インジケータスケジューリングメッセージ内の変調及び符号化スキームインデクスが３１に設定され、前記チャネル品質インジケータスケジューリングメッセージがダウンリンク制御情報フォーマット０を用いて送信された場合、前記チャネル品質インジケータ専用フィードバックペイロードは１６直角位相振幅変調を用いて送信される、［Ｃ４］に記載の方法。
［Ｃ５］  アップリンク送信のランクが１に等しく、前記チャネル品質インジケータスケジューリングメッセージ内の第１の変調及び符号化スキームインデクスが２９に設定され、前記チャネル品質インジケータスケジューリングメッセージがダウンリンク制御情報フォーマット４を用いて送信された場合、前記チャネル品質インジケータ専用フィードバックペイロードは四位相偏移変調を用いて送信される、［Ｃ１］に記載の方法。
［Ｃ６］  アップリンク送信のランクが１に等しく、前記チャネル品質インジケータスケジューリングメッセージ内の第１の変調及び符号化スキームインデクスが３１に設定され、前記チャネル品質インジケータスケジューリングメッセージがダウンリンク制御情報フォーマット４を用いて送信された場合、前記チャネル品質インジケータ専用フィードバックペイロードは１６直角位相振幅変調を用いて送信される、［Ｃ１］に記載の方法。
［Ｃ７］  アップリンク送信のランクが１よりも大きく、前記チャネル品質インジケータスケジューリングメッセージ内の第１の変調及び符号化スキームインデクスが２９に設定され、前記チャネル品質インジケータスケジューリングメッセージ内の第２の変調及び符号化スキームインデクスが２９に設定され、前記チャネル品質インジケータスケジューリングメッセージがダウンリンク制御情報フォーマット４を用いて送信された場合、前記チャネル品質インジケータ専用フィードバックペイロードは四位相偏移変調を用いて送信される、［Ｃ１］に記載の方法。
［Ｃ８］  前記チャネル品質インジケータ専用フィードバックペイロードは、前記チャネル品質インジケータスケジューリングメッセージにおいて、要求された数の物理リソースブロックを用いて送信される、［Ｃ１］に記載の方法。
［Ｃ９］  チャネル品質インジケータ専用フィードバックペイロードをスケジューリングするための方法であって、  チャネル品質インジケータスケジューリングメッセージの生成を開始することと、  前記チャネル品質インジケータ専用フィードバックペイロードのために、四位相偏移変調か１６直角位相振幅変調かが必要であるかを決定することと、  前記チャネル品質インジケータ専用フィードバックペイロードのために、四位相偏移変調が必要であるか１６直角位相振幅変調が必要であるかに従って、変調及び符号化スキームインデクスを設定することと、  前記チャネル品質インジケータスケジューリングメッセージを無線通信デバイスへ送信することと、を備える方法。
［Ｃ１０］  前記方法は基地局によって実行される、［Ｃ９］に記載の方法。
［Ｃ１１］  前記チャネル品質インジケータスケジューリングメッセージは、物理ダウンリンク制御チャネル上で送信される、［Ｃ９］に記載の方法。
［Ｃ１２］  前記チャネル品質インジケータスケジューリングメッセージがダウンリンク制御情報フォーマット０を用いて送信され、前記チャネル品質インジケータ専用フィードバックペイロードのために四位相偏移変調が必要とされ、前記変調及び符号化スキームインデクスが２９に設定される、［Ｃ９］に記載の方法。
［Ｃ１３］  前記チャネル品質インジケータスケジューリングメッセージがダウンリンク制御情報フォーマット０を用いて送信され、前記チャネル品質インジケータ専用フィードバックペイロードのために１６直角位相振幅変調が必要とされ、前記変調及び符号化スキームインデクスが３１に設定される、［Ｃ９］に記載の方法。
［Ｃ１４］  前記チャネル品質インジケータスケジューリングメッセージがダウンリンク制御情報フォーマット４を用いて送信され、前記チャネル品質インジケータ専用フィードバックペイロードのランクが１よりも大きいかを決定することを更に備える、［Ｃ９］に記載の方法。
［Ｃ１５］  前記チャネル品質インジケータ専用フィードバックペイロードのランクが１であり、前記チャネル品質インジケータ専用フィードバックペイロードのために四位相偏移変調が必要とされ、第１の変調及び符号化スキームインデクスが２９に設定される、［Ｃ１４］に記載の方法。
［Ｃ１６］  前記チャネル品質インジケータ専用フィードバックペイロードのランクが１であり、前記チャネル品質インジケータ専用フィードバックペイロードのために１６直角位相振幅変調が必要とされ、第１の変調及び符号化スキームインデクスが３１に設定される、［Ｃ１４］に記載の方法。
［Ｃ１７］  前記チャネル品質インジケータ専用フィードバックペイロードが１よりも大きく、前記チャネル品質インジケータ専用フィードバックペイロードのために四位相偏移変調が必要とされ、第１の変調及び符号化スキームインデクスが２９に設定され、第２の変調及び符号化スキームインデクスが２９に設定される、［Ｃ１４］に記載の方法。
［Ｃ１８］  前記チャネル品質インジケータ専用フィードバックペイロードの物理リソースブロックの要求された数を、４より小さい、または等しい値に設定することを更に備える、［Ｃ１７］に記載の方法。
［Ｃ１９］  前記チャネル品質インジケータ専用フィードバックペイロードの物理リソースブロックの要求された数を、物理リソースブロックの最大数に設定することを更に備える、［Ｃ９］に記載の方法。
［Ｃ２０］  非周期的チャネル品質インジケータ報告モードが設定される場合、前記物理リソースブロックの最大数を４よりも大きい値に設定することを更に備える、［Ｃ１９］に記載の方法。
［Ｃ２１］  マルチキャリア非周期的チャネル品質インジケータ報告がサポートされる場合、前記物理リソースブロックの最大数を４よりも大きい数に設定することを更に備える、［Ｃ１９］に記載の方法。
［Ｃ２２］  システム帯域幅設定が５メガヘルツよりも大きい場合、前記物理リソースブロックの最大数を４よりも大きい数に設定することを更に備える、［Ｃ１９］に記載の方法。
［Ｃ２３］  非周期的チャネル品質インジケータ報告モードが設定されておらず、マルチキャリア非周期的チャネル品質インジケータ報告がサポートされておらず、システム帯域幅設定が５メガヘルツよりも大きい場合、前記物理リソースブロックの最大数を４より小さい、または等しい値に設定することを更に備える、［Ｃ１９］に記載の方法。
［Ｃ２４］  チャネル品質インジケータ専用フィードバックペイロードを送信するために構成された無線デバイスであって、  プロセッサと、  前記プロセッサと電子的に通信を行なうメモリと、  前記メモリ内に格納された命令とを備え、  前記命令は、前記プロセッサによって、    基地局からのチャネル品質インジケータスケジューリングメッセージを受信することと、    チャネル品質インジケータ専用フィードバックペイロードを生成することと、    物理アップリンク共有チャネル上で前記チャネル品質インジケータ専用フィードバックペイロードを送信することと、のために実行可能である、無線デバイス。
［Ｃ２５］  前記無線デバイスは無線通信デバイスである、［Ｃ２４］に記載の無線デバイス。
［Ｃ２６］  前記チャネル品質インジケータスケジューリングメッセージ内の変調及び符号化スキームインデクスが２９に設定され、前記チャネル品質インジケータスケジューリングメッセージがダウンリンク制御情報フォーマット０を用いて送信された場合、前記チャネル品質インジケータ専用フィードバックペイロードは四位相偏移変調を用いて送信される、［Ｃ２４］に記載の無線デバイス。
［Ｃ２７］  前記チャネル品質インジケータスケジューリングメッセージ内の変調及び符号化スキームインデクスが３１に設定され、前記チャネル品質インジケータスケジューリングメッセージがダウンリンク制御フォーマット０を用いて送信された場合、前記チャネル品質インジケータ専用フィードバックペイロードは１６直角位相振幅変調を用いて送信される、［Ｃ２４］に記載の無線デバイス。
［Ｃ２８］  アップリンク送信のランクが１に等しく、前記チャネル品質インジケータスケジューリングメッセージ内の第１の変調及び符号化スキームインデクスが２９に設定され、前記チャネル品質インジケータスケジューリングメッセージがダウンリンク制御情報フォーマット４を用いて送信された場合、前記チャネル品質インジケータ専用フィードバックペイロードは四位相偏移変調を用いて送信される、［Ｃ２４］に記載の無線デバイス。
［Ｃ２９］  アップリンク送信のランクが１に等しく、前記チャネル品質インジケータスケジューリングメッセージ内の第１の変調及び符号化スキームインデクスが３１に設定され、前記チャネル品質インジケータスケジューリングメッセージがダウンリンク制御情報フォーマット４を用いて送信された場合、前記チャネル品質インジケータ専用フィードバックペイロードは１６直角位相振幅変調を用いて送信される、［Ｃ２４］に記載の無線デバイス。
［Ｃ３０］  アップリンク送信のランクが１よりも大きく、前記チャネル品質インジケータスケジューリングメッセージ内の第１の変調及び符号化スキームインデクスが２９に設定され、前記チャネル品質インジケータスケジューリングメッセージ内の第２の変調及び符号化スキームインデクスが２９に設定され、前記チャネル品質インジケータスケジューリングメッセージがダウンリンク制御情報フォーマット４を用いて送信された場合、前記チャネル品質インジケータ専用フィードバックペイロードは四位相偏移変調を用いて送信される、［Ｃ２４］に記載の無線デバイス。
［Ｃ３１］  前記チャネル品質インジケータ専用フィードバックペイロードは、前記チャネル品質インジケータスケジューリングメッセージにおいて、要求された数の物理リソースブロックを用いて送信される、［Ｃ２４］に記載の無線デバイス。
［Ｃ３２］  チャネル品質インジケータ専用フィードバックペイロードをスケジューリングするために構成された無線デバイスであって、  プロセッサと、
前記プロセッサと電子的に通信を行なうメモリと、  前記メモリ内に格納された命令と、を備え、  前記命令は、前記プロセッサによって、    チャネル品質インジケータスケジューリングメッセージの生成を開始することと、    前記チャネル品質インジケータ専用フィードバックペイロードのために、四位相偏移変調か１６直角位相振幅変調かが必要とされるかを決定することと、    前記チャネル品質インジケータ専用フィードバックペイロードのために、四位相偏移変調か１６直角位相振幅変調かが必要であるかに従って変調及び符号化スキームインデクスを設定することと、    前記チャネル品質インジケータスケジューリングメッセージを無線通信デバイスへ送信することと、のために実行可能である、無線デバイス。
［Ｃ３３］  前記無線デバイスは基地局である、［Ｃ３２］に記載の無線デバイス。
［Ｃ３４］  前記チャネル品質インジケータスケジューリングメッセージが物理ダウンリンク制御チャネル上で送信される、［Ｃ３２］に記載の無線デバイス。
［Ｃ３５］  前記チャネル品質インジケータスケジューリングメッセージがダウンリンク制御情報フォーマット０を用いて送信され、前記チャネル品質インジケータ専用フィードバックペイロードのために四位相偏移変調が必要とされ、前記変調及び符号化スキームインデクスが２９に設定される、［Ｃ３２］に記載の無線デバイス。
［Ｃ３６］  前記チャネル品質インジケータスケジューリングメッセージがダウンリンク制御情報フォーマット０を用いて送信され、前記チャネル品質インジケータ専用フィードバックペイロードのために１６直角位相振幅変調が必要とされ、前記変調及び符号化スキームインデクスが３１に設定される、［Ｃ３２］に記載の無線デバイス。
［Ｃ３７］  前記チャネル品質インジケータスケジューリングメッセージがダウンリンク制御情報フォーマット４を用いて送信され、  前記命令は更に、前記チャネル品質インジケータ専用フィードバックペイロードのランクが１よりも大きいかを決定するために実行可能である、［Ｃ３２］に記載の無線デバイス。
［Ｃ３８］  前記チャネル品質インジケータ専用フィードバックペイロードのランクが１であり、前記チャネル品質インジケータ専用フィードバックペイロードのために四位相偏移変調が必要とされ、第１の変調及び符号化スキームインデクスが２９に設定される、［Ｃ３７］に記載の無線デバイス。
［Ｃ３９］  前記チャネル品質インジケータ専用フィードバックペイロードのランクが１であり、前記チャネル品質インジケータ専用フィードバックペイロードのために１６直角位相振幅変調が必要とされ、第１の変調及び符号化スキームインデクスが３１に設定される、［Ｃ３７］に記載の無線デバイス。
［Ｃ４０］  前記チャネル品質インジケータ専用フィードバックペイロードのランクが１よりも大きく、前記チャネル品質インジケータ専用フィードバックペイロードのために四位相偏移変調が必要とされ、第１の変調及び符号化スキームインデクスが２９に設定され、第２の変調及び符号化スキームインデクスが２９に設定される、［Ｃ３７］に記載の無線デバイス。
［Ｃ４１］  前記命令は更に、前記チャネル品質インジケータ専用フィードバックペイロードの物理リソースブロックの要求された数を４より小さい、または等しい値に設定することのために実行可能である、［Ｃ４０］に記載の無線デバイス。
［Ｃ４２］  前記命令は更に、前記チャネル品質インジケータ専用フィードバックペイロードの物理リソースブロックの要求された数を、物理リソースブロックの最大数に設定することのために実行可能である、［Ｃ３２］に記載の無線デバイス。
［Ｃ４３］  前記命令は更に、非周期的チャネル品質インジケータ報告モードが設定される場合、前記物理リソースブロック最大数を４よりも大きい値に設定することのために実行可能である、［Ｃ４２］に記載の無線デバイス。
［Ｃ４４］  前記命令は更に、マルチキャリア非周期的チャネル品質インジケータ報告がサポートされる場合、前記物理リソースブロックの最大数を４よりも大きい値に設定することにために実行可能である、［Ｃ４２］に記載の無線デバイス。
［Ｃ４５］  前記命令は更に、システム帯域幅設定が５メガヘルツよりも大きい場合、前記物理リソースブロックの最大数を４よりも大きい値に設定することのために実行可能である、［Ｃ４５］に記載の無線デバイス。
［Ｃ４６］  前記命令は更に、非周期的チャネル品質インジケータ報告モードが設定されず、マルチキャリア非周期的チャネル品質インジケータ報告がサポートされず、システム帯域幅設定が５メガヘルツよりも大きい場合、前記物理リソースブロックの最大数を４より小さい、または等しい値に設定することのために実行可能である、［Ｃ４２］に記載の無線デバイス。
［Ｃ４７］  チャネル品質インジケータ専用フィードバックペイロードを送信するために構成された無線デバイスであって、  基地局からのチャネル品質インジケータスケジューリングメッセージを受信するための手段と、  チャネル品質インジケータ専用フィードバックペイロードを生成するための手段と、  前記チャネル品質インジケータ専用フィードバックペイロードを物理アップリンク共有チャネル上で送信するための手段と、を備える無線デバイス。
［Ｃ４８］  チャネル品質インジケータ専用フィードバックペイロードをスケジューリングするために構成された無線デバイスであって、  前記チャネル品質インジケータ専用フィードバックペイロードのために、四位相偏移変調か１６直角位相振幅変調かが必要とされるかを決定するための手段と、  前記チャネル品質インジケータ専用フィードバックペイロードのために、四位相偏移変調か１６直角位相振幅変調かが必要とされるかに従って変調及び符号化スキームインデクスを設定するための手段と、  前記チャネル品質インジケータスケジューリングメッセージを無線通信デバイスへ送信するための手段と、を備える無線デバイス。
［Ｃ４９］  チャネル品質インジケータ専用フィードバックペイロードを送信するためのコンピュータプログラム製品であって、命令を有する持続性コンピュータ読取可能媒体を備え、  前記命令は、    無線デバイスに、基地局からのチャネル品質インジケータスケジューリングメッセージを受信させるためのコードと、    前記無線デバイスに、チャネル品質インジケータ専用フィードバックペイロードを生成させるためのコードと、    前記無線デバイスに、前記チャネル品質インジケータ専用フィードバックペイロードを物理アップリンク共有チャネル上で送信させるためのコードと、を備える、コンピュータプログラム製品。
［Ｃ５０］  チャネル品質インジケータ専用フィードバックペイロードをスケジューリングするためのコンピュータプログラム製品であって、命令を有する持続性コンピュータ読取可能媒体を備え、  前記命令は、    無線デバイスに、チャネル品質インジケータスケジューリングメッセージを生成させるためのコードと、    前記無線デバイスに、前記チャネル品質インジケータ専用フィードバックペイロードのために、四位相偏移変調か１６直角位相振幅変調かが必要とされるかを決定させるためのコードと、    前記無線デバイスに、前記チャネル品質インジケータ専用フィードバックペイロードのために、四位相偏移変調か１６直角位相振幅変調かが必要とされるかに従って変調及び符号化スキームインデクスを設定させるためのコードと、    前記無線デバイスに、前記チャネル品質インジケータスケジューリングメッセージを無線通信デバイスへ送信させるためのコードと、を備える、コンピュータプログラム製品。
【図１】
0005727030.tif 000002
【図２】
0005727030.tif 000003
【図３】
0005727030.tif 000004
【図４】
0005727030.tif 000005
【図５】
0005727030.tif 000006
【図６】
0005727030.tif 000007
【図７】
0005727030.tif 000008
【図８】
0005727030.tif 000009
【図９】
0005727030.tif 000010
【図１０】
0005727030.tif 000011
【図１１】
0005727030.tif 000012